(57)【要約】  無線通信システム（１）において、は、第１の基地局（例：ＬＭｅＮＢ）と、第２の基地局（例：ＨｅＮＢ）と、コアノード（例：ＭＭＥ）と、第２の基地局（例：ＨｅＮＢ）とコアノード（ＭＭＥ）との間の通信を中継する第１の中継ノード（例：ＨｅＮＢ  ＧＷ）と、第２の基地局（ＨｅＮＢ）が基地局間インタフェースにて基地局間接続する第２の中継ノード（例：Ｘ２  ＧＷ）と、を備えてよい。第２の中継ノードとの基地局間接続をサポートしない第１の基地局は、コアノードへ、第２の基地局のアドレス情報を要求する情報要素を含む基地局−コアノード間メッセージを送信してよい。コアノードは、前記基地局−コアノード間メッセージを第１の中継ノードへ送信してよい。第１の中継ノードは、当該基地局−コアノード間メッセージを受信したことに応じて、第１の中継ノードのアドレス情報をコアノード経由で第１の基地局へ応答してよい。
2017072905.tif 000002
【特許請求の範囲】
【請求項１】
第１の基地局と接続するコアノードと、前記第１の基地局とは異なる第２の基地局と、の間の通信を中継する第１の中継ノードであって、
前記コアノードから基地局−コアノード間メッセージを受信する第１受信部と、
前記基地局−コアノード間メッセージが、前記第２の基地局が基地局間インタフェースにて基地局間接続する第２の中継ノードとの基地局間接続をサポートしない前記第１の基地局から送信されたメッセージであって、前記第２の基地局のアドレス情報を要求する情報要素を含むメッセージであるか否かを判定する判定部と、
前記基地局−コアノード間メッセージが、前記第１の基地局から前記第２の基地局宛に送信された、前記第２の基地局の前記アドレス情報を要求する情報要素を含むメッセージであると前記判定部にて判定されると、前記基地局−コアノード間メッセージを終端し、前記第１の中継ノードのアドレス情報を前記第１の基地局宛に送信する第１送信部と、
を備えた、中継ノード。
【請求項２】
前記第１の中継ノードのアドレス情報を受信した前記第１の基地局から、前記第２の基地局との基地局間接続の確立要求を受信する第２受信部と、
前記確立要求の受信に応じて前記第１の基地局と基地局間接続を確立する基地局間接続確立部と、
前記確立要求に対する応答を前記第１の基地局宛に送信する第２送信部と、を備えた、請求項１に記載の中継ノード。
【請求項３】
前記基地局間接続確立部は、前記確立要求の受信に応じて、前記第２の中継ノードを介した前記第２の基地局との基地局間接続の確立処理を開始する、請求項２に記載の中継ノード。
【請求項４】
前記基地局間接続確立部は、前記第１の基地局から前記要求を受信する前に、前記第１の基地局との基地局間接続が既に確立している場合、前記要求の受信を待たずに、前記第２の中継ノードを介した前記第２の基地局との基地局間接続の確立処理を開始する、請求項２に記載の中継ノード。
【請求項５】
前記基地局−コアノード間メッセージの送信元である前記第１の基地局の識別情報と、前記基地局−コアノード間メッセージの宛先である前記第２の基地局の識別情報と、を関連付けて記憶する記憶部と、
前記記憶部における前記識別情報に基づいて、前記第１の基地局と前記第２の基地局との間に前記第２の中継ノードを介して確立した基地局間接続を通じて送受信される基地局間メッセージの転送処理を行なう基地局間メッセージ処理部と、を備えた、請求項３又は４に記載の中継ノード。
【請求項６】
前記基地局間メッセージ処理部は、
前記基地局間接続が確立した前記第１の基地局から基地局間メッセージを受信すると、当該基地局間メッセージを、前記第１の基地局の識別情報を送信元情報に設定し、前記第２の基地局の識別情報を宛先情報に設定したメッセージにカプセル化して前記第２の中継ノード宛に送信する、請求項５に記載の中継ノード。
【請求項７】
前記基地局間メッセージ処理部は、
送信元情報が前記第２の基地局の識別情報に設定され、宛先情報が前記第１の基地局の識別情報に設定されてカプセル化された基地局間メッセージを前記第２の中継ノードから受信すると、前記カプセル化を解除した基地局間メッセージを前記第１の基地局へ送信する、請求項５に記載の中継ノード。
【請求項８】
前記基地局間メッセージ処理部は、
前記第１の基地局から宛先を指定しない基地局間メッセージを受信すると、前記記憶部における前記識別情報を基に宛先を決定し、決定した宛先毎に前記基地局間メッセージをカプセル化して前記第２の中継ノードへ送信する、請求項６に記載の中継ノード。
【請求項９】
前記第１の基地局との間に確立した基地局間接続における通信を監視し、当該通信の切断が検出されると、当該切断が検出された前記第１の基地局の識別情報に関連付けて記憶されているエントリを前記記憶部から削除する第１監視部を備えた、請求項５〜８のいずれか１項に記載の中継ノード。
【請求項１０】
前記基地局間メッセージ処理部は、
前記記憶部から削除された前記第２の基地局の識別情報を宛先情報に設定した、基地局間接続の解放を要求する基地局間メッセージを前記第２の中継ノードへ送信する、請求項９に記載の中継ノード。
【請求項１１】
前記第２の中継ノードから、前記第２の中継ノードと前記第２の基地局との間の基地局間接続が切断又は解放されたことに応じて送信された、前記カプセル化された基地局間メッセージを受信すると、当該基地局間メッセージの送信元情報に設定された前記第２の基地局の識別情報に対応するエントリを前記記憶部から削除する第２監視部を備えた、請求項７に記載の中継ノード。
【請求項１２】
前記基地局間メッセージ処理部は、
前記第２監視部による前記エントリの削除に応じて、前記記憶部において、前記第２の基地局の識別情報との関連付けが無くなった前記第１の基地局について、当該第１の基地局との間に確立した基地局間接続による通信の切断処理を行なう、請求項１１に記載の中継ノード。
【請求項１３】
第１の基地局と、
第２の基地局と、
前記第１の基地局と接続するコアノードと、
前記第２の基地局と前記コアノードとの間の通信を中継する第１の中継ノードと、
前記第２の基地局が基地局間インタフェースにて基地局間接続する第２の中継ノードと、を備え、
前記第１の中継ノードは、
前記コアノードから基地局−コアノード間メッセージを受信する受信部と、
前記基地局−コアノード間メッセージが、前記第２の中継ノードとの基地局間接続をサポートしない前記第１の基地局から送信されたメッセージであって、前記第２の基地局のアドレス情報を要求する情報要素を含むメッセージであるか否かを判定する判定部と、
前記基地局−コアノード間メッセージが、前記第１の基地局から前記第２の基地局宛に送信された、前記第２の基地局の前記アドレス情報を要求する情報要素を含むメッセージであると前記判定部にて判定されると、前記基地局−コアノード間メッセージを終端し、前記第１の中継ノードのアドレス情報を前記第１の基地局宛に送信する送信部と、を備えた、無線通信システム。
【請求項１４】
第１の基地局と、第２の基地局と、前記第１の基地局と接続するコアノードと、前記第２の基地局と前記コアノードとの間の通信を中継する第１の中継ノードと、前記第２の基地局が基地局間インタフェースにて基地局間接続する第２の中継ノードと、を備えた無線通信システムにおける通信方法であって、
前記第２の中継ノードとの基地局間接続をサポートしない前記第１の基地局から、前記コアノードへ、前記第２の基地局のアドレス情報を要求する情報要素を含む基地局−コアノード間メッセージを送信し、
前記コアノードから前記基地局−コアノード間メッセージを前記第１の中継ノードへ送信し、
前記第１の中継ノードが、前記第２の基地局のアドレス情報を要求する情報要素を含む前記基地局−コアノード間メッセージを受信したことに応じて、前記第１の中継ノードのアドレス情報を前記コアノード経由で前記第１の基地局へ応答する、無線通信システムにおける通信方法。
【発明の詳細な説明】
【技術分野】
【０００１】
本明細書に記載する技術は、中継ノード、無線通信システム、及び、無線通信システムにおける通信方法に関する。
【背景技術】
【０００２】
Third Generation Partnership Project（３ＧＰＰ）が規定する通信方式の１つであるLong Term Evolution（ＬＴＥ）において、Ｘ２インタフェースと称される複数の基地局間インタフェースを集約するゲートウェイ（ＧＷ）の設置が検討されている。【０００３】
複数のＸ２インタフェースを集約するＧＷは、便宜的に、「Ｘ２  ＧＷ」と称されてよい。Ｘ２  ＧＷの設置により、特定の基地局にＸ２インタフェースによる接続（「Ｘ２接続」と称してもよい。）が集中して負荷が上昇することを回避あるいは抑制できる。
【先行技術文献】
【特許文献】
【０００４】
【特許文献１】特開２０１１−４１２３７号公報
【特許文献２】特開２０１３−１５０２０４号公報
【非特許文献】
【０００５】
【非特許文献１】3GPP TS 36.300-c50
【非特許文献２】3GPP TS 36.413-c50
【非特許文献３】3GPP TS 36.423-c50
【発明の概要】
【発明が解決しようとする課題】
【０００６】
無線アクセスネットワークには、サポートする３ＧＰＰのリリースバージョンが新旧異なる基地局が混在していることがある。例えば、古いリリースバージョンの基地局（「レガシーな基地局」と称してもよい。）は、Ｘ２  ＧＷとのＸ２接続をサポートしていないことがある。【０００７】
そうすると、無線アクセスネットワークにおいて、Ｘ２  ＧＷとのＸ２接続が可能な基地局が一部に限られてしまい、Ｘ２  ＧＷを設置しても、Ｘ２  ＧＷの有効利用を図れないことがある。なお、Ｘ２  ＧＷは、Ｘ２接続での通信を中継する「中継ノード」の一例であると捉えてもよい。【０００８】
１つの側面では、本明細書に記載する技術の目的の１つは、中継ノードとの接続をサポートしない基地局であっても、中継ノードとの接続をサポートする他の基地局との中継ノードを介した接続を確立できるようにすることにある。
【課題を解決するための手段】
【０００９】
１つの側面において、中継ノードは、第１の基地局と接続するコアノードと、前記第１の基地局とは異なる第２の基地局と、の間の通信を中継する。当該中継ノードは、受信部と、判定部と、送信部と、を備えてよい。受信部は、前記コアノードから基地局−コアノード間メッセージを受信してよい。判定部は、前記基地局−コアノード間メッセージが、前記第２の基地局が基地局間インタフェースにて基地局間接続する第２の中継ノードとの基地局間接続をサポートしない前記第１の基地局から送信されたメッセージであって、前記第２の基地局のアドレス情報を要求する情報要素を含むメッセージであるか否かを判定してよい。送信部は、前記基地局−コアノード間メッセージが、前記第１の基地局から前記第２の基地局宛に送信された、前記第２の基地局の前記アドレス情報を要求する情報要素を含むメッセージであると前記判定部にて判定されると、前記基地局−コアノード間メッセージを終端し、前記第１の中継ノードのアドレス情報を前記第１の基地局宛に送信してよい。【００１０】
また、１つの側面において、無線通信システムは、第１の基地局と、第２の基地局と、前記第１の基地局と接続するコアノードと、前記第２の基地局と前記コアノードとの間の通信を中継する第１の中継ノードと、前記第２の基地局が基地局間インタフェースにて基地局間接続する第２の中継ノードと、を備えてよい。前記第１の中継ノードは、上述の受信部、判定部、及び、送信部を備えてよい。【００１１】
更に、１つの側面において、通信方法は、前記第２の中継ノードとの基地局間接続をサポートしない前記第１の基地局から、前記コアノードへ、前記第２の基地局のアドレス情報を要求する情報要素を含む基地局−コアノード間メッセージを送信してよい。また、前記通信方法は、前記コアノードから前記基地局−コアノード間メッセージを前記第１の中継ノードへ送信してよい。更に、前記通信方法は、前記第１の中継ノードが、前記第２の基地局のアドレス情報を要求する情報要素を含む前記基地局−コアノード間メッセージを受信したことに応じて、前記第１の中継ノードのアドレス情報を前記コアノード経由で前記第１の基地局へ応答してよい。
【発明の効果】
【００１２】
１つの側面として、中継ノードとの接続をサポートしない基地局であっても、当該中継ノードとの接続をサポートする他の基地局との中継ノードを介した接続を確立できる。
【図面の簡単な説明】
【００１３】
【図１】ＭＭＥ（Mobility Management Entity）とＳ１インタフェースによって接続する複数のマクロ基地局（ＭｅＮＢ）を有する無線通信システムの一例を示すブロック図である。
【図２】ＭＭＥとＳ１インタフェースによって接続する複数のＭｅＮＢ及びスモール基地局（ＨｅＮＢ）を有する無線通信システムの一例を示すブロック図である。
【図３】図２における複数のＨｅＮＢとＭＭＥとの間の接続がゲートウェイ（ＨｅＮＢ  ＧＷ）に集約される態様の一例を示す模式図である。
【図４】図１におけるＭｅＮＢ間のＸ２インタフェースによるＸ２接続の態様の一例を示すブロック図である。
【図５】図２におけるＭｅＮＢ及びＨｅＮＢを含む各ｅＮＢ間のＸ２接続の態様の一例を示すブロック図である。
【図６】図５における複数のＨｅＮＢとＭｅＮＢとの間のＸ２接続がゲートウェイ（Ｘ２  ＧＷ）に集約される態様の一例を示す模式図である。
【図７】Ｘ２メッセージにＲＮＬ（Radio Network Layer）ヘッダを付与してカプセル化したメッセージフォーマットの一例を示す模式図である。
【図８】図７に例示したＲＮＬヘッダの情報要素（ＩＥ）の一例を示す模式図である。
【図９】図６の例においてＸ２メッセージの転送例を説明するための模式図である。
【図１０】ｅＮＢ間のＸ２接続を確立する手順を説明するための模式図である。
【図１１】ｅＮＢ間のＸ２  ＧＷを介したＸ２接続を確立する手順の一例を示す模式図である。
【図１２】ＩＰアドレスを問い合わせるＳ１メッセージのフォーマット例を示す図である。
【図１３】ＩＰアドレスを応答するＳ１メッセージのフォーマット例を示す図である。
【図１４】ＭｅＮＢがＨｅＮＢのＩＰアドレスを問い合わせる手順の一例を説明するための模式図である。
【図１５】レガシーＭｅＮＢ（ＬＭｅＮＢ）がＨｅＮＢのＩＰアドレスを問い合わせる手順の一例を説明するための模式図である。
【図１６】図１４及び図１５に例示したＨｅＮＢ  ＧＷの動作例を示すフローチャートである。
【図１７】図１４及び図１５に例示したＨｅＮＢ  ＧＷが記憶するＸ２マッピングテーブルの一例を示す図である。
【図１８】図１５に対応する手順を説明するためのシーケンス図である。
【図１９】図１５に例示したＬＭｅＮＢとＨｅＮＢとの間のＸ２  ＧＷを介したＸ接続の確立手順の一例を説明するための模式図である。
【図２０】図１５の例においてＨｅＮＢ  ＧＷがＸ２  ＧＷへ送信する、カプセル化されたＸ２メッセージのＩＥの一例を示す図である。
【図２１】図１９に対応するＨｅＮＢ  ＧＷの動作例を示すフローチャートである。
【図２２】図１９に対応する手順を説明するためのシーケンス図である。
【図２３】図１９の動作例に係るＨｅＮＢ  ＧＷが記憶するＸ２マッピングテーブルの一例を示す図である。
【図２４】ＨｅＮＢがＬＭｅＮＢ宛に送信したＸ２メッセージの転送手順の一例を説明するための模式図である。
【図２５】ＬＭｅＮＢがＨｅＮＢ宛に送信したＸ２メッセージの転送手順の一例を説明するための模式図である。
【図２６】図２４に対応するＨｅＮＢ  ＧＷの動作例を示すフローチャートである。
【図２７】図２５に対応するＨｅＮＢ  ＧＷの動作例を示すフローチャートである。
【図２８】図２４に対応する手順を説明するためのシーケンス図である。
【図２９】図２５に対応する手順を説明するためのシーケンス図である。
【図３０】ＬＭｅＮＢとＨｅＮＢ  ＧＷとの間に確立したＸ２接続での通信が切断した場合の動作例を説明するための模式図である。
【図３１】Ｘ２  ＧＷとＨｅＮＢとの間のＸ２接続による通信が切断した場合の動作例を説明するための模式図である。
【図３２】Ｘ２マッピングテーブルのエントリ削除に応じて、ＨｅＮＢ  ＧＷが、ＬＭｅＮＢと確立したＸ２接続での通信を切断する動作例を説明するための模式図である。
【図３３】図３０に対応するＨｅＮＢ  ＧＷの動作例を示すフローチャートである。
【図３４】図３１及び図３２に対応するＨｅＮＢ  ＧＷの動作例を示すフローチャートである。
【図３５】図３０に対応する手順を説明するためのシーケンス図である。
【図３６】図３１及び図３２に対応する手順を説明するためのシーケンス図である。
【図３７】ＨｅＮＢ  ＧＷの構成例を示すブロック図である。
【図３８】ＨｅＮＢ  ＧＷのハードウェア構成例を示すブロック図である。
【発明を実施するための形態】
【００１４】
以下、図面を参照して実施の形態を説明する。ただし、以下に説明する実施形態は、あくまでも例示であり、以下に明示しない種々の変形や技術の適用を排除する意図はない。また、以下に説明する各種の例示的態様は、適宜に組み合わせて実施しても構わない。なお、以下の実施形態で用いる図面において、同一符号を付した部分は、特に断らない限り、同一若しくは同様の部分を表す。
【００１５】
３ＧＰＰのＬＴＥでは、「ｅＮＢ」と称される無線基地局（単に「基地局」と称してもよい。）について規定されている。「ｅＮＢ」は、「evolved (Universal Mobile Telecommunications System Terrestrial Radio Access Network) Node B」の略称である。
【００１６】
ｅＮＢが形成する無線エリアは、「セル」又は「セクタ」であってよい。ｅＮＢが形成するセルは、「マクロセル」と称されてよい。マクロセルを形成する無線基地局（ｅＮＢ）は、「マクロ基地局」、「マクロｅＮＢ」、又は、「ＭｅＮＢ」等と称されてもよい。
【００１７】
なお、「セル」は、無線基地局が送信する無線電波の到達可能範囲（「カバレッジ」と称してもよい。）に応じて形成される無線エリアの一例である。セル内に位置する移動局等の無線機器が、当該セルを形成する無線基地局と無線通信することが可能である。
【００１８】
ＬＴＥでは、マクロセルの他にスモールセル（ＳＣ）を活用してシステム容量の増大を図る技術に関する議論が行なわれている。例えば、マクロセル（ＭＣ）に、マクロセルよりもカバレッジの小さい「スモールセル」が配置されることがある。
【００１９】
「スモールセル」には、例示的に、「ホームセル」、「フェムトセル」、「ピコセル」、「マイクロセル」、「メトロセル」等と称されるセルが含まれてよい。
【００２０】
スモールセルを形成する無線基地局は、「スモール基地局」と称されてよい。スモール基地局には、上記のスモールセルの称呼に応じて、ホーム基地局、フェムト基地局、ピコ基地局、マイクロ基地局、及び、メトロ基地局等が含まれてよい。ホーム基地局は、ＨｅＮＢ（Home eNodeB）と称されてよい。
【００２１】
なお、マクロ基地局及びスモール基地局は、いずれも、無線アクセスネットワークを構成するネットワークエレメント（ＮＥ）の一例である。
【００２２】
以下の説明では、便宜的に、スモール基地局の一例がＨｅＮＢであると仮定するが、スモール基地局は、フェムト基地局、ピコ基地局、マイクロ基地局、及び、メトロ基地局のいずれかであってもよい。
【００２３】
図１に、複数のＭｅＮＢを備えた無線通信システム１の一例を示す。無線通信システム１は、便宜的に、「ネットワーク１」と称してもよい。図１に示す無線通信システム１は、例示的に、３つのＭｅＮＢ＃１〜＃３を備えてよい。
【００２４】
ＭｅＮＢ＃ｉ（ｉ＝１〜ｎのいずれかであって、ｎは例示的に２以上の整数である）は、それぞれ、マクロセルＭＣ＃ｉを形成する。なお、ＭｅＮＢ＃ｉ及びマクロセルＭＣ＃ｉを区別しなくてよい場合は、それぞれ、「ＭｅＮＢ」及び「マクロセルＭＣ」と表記することがある。
【００２５】
ＭｅＮＢは、図１に例示するように、ＭＭＥと通信可能に接続されてよい。「ＭＭＥ」は、「Mobility Management Entity」の略称であり、コアネットワークのエンティティ又はノードの一例である。そのため、ＭＭＥは、「コアノード」と称されてもよい。別言すると、「コアノード」の一例が「ＭＭＥ」である。
【００２６】
ＭＭＥは、コアネットワークにおいて、無線アクセスネットワークの制御を扱う制御プレーン（Control Plane）のアクセスゲートウェイとして機能してよい。例示的に、ＭＭＥは、制御プレーンにて、ＵＥ（User Equipment）等の無線機器の位置登録や、無線機器の呼出、基地局間ハンドオーバ等の管理をサポートしてよい。
【００２７】
基地局の一例であるｅＮＢ（ＭｅＮＢ及びＨｅＮＢのいずれでもよい。）と、コアノードの一例であるＭＭＥと、の間の接続インタフェースは、「Ｓ１インタフェース」と称されてよい。Ｓ１インタフェースによる接続は、便宜的に、「Ｓ１接続」と称してよい。「Ｓ１接続」は、「基地局−コアノード間接続」の一例である。
【００２８】
「Ｓ１接続」にて送受信される信号やメッセージは、便宜的に、Ｓ１信号（又はＳ１ＡＰ信号）あるいはＳ１メッセージ（又はＳ１ＡＰメッセージ）と称してよい。「ＡＰ」は、「Application Protocol」の略称である。Ｓ１メッセージは、「基地局−コアノード間メッセージ」の一例である。
【００２９】
ＭｅＮＢ＃ｉが形成するマクロセルＭＣ＃ｉには、図２に例示するように、１又は複数のＨｅＮＢ＃ｊ（ｊ＝１〜ｍのいずれかであって、ｍは自然数である。）が備えられてよい。ＨｅＮＢ＃ｊは、それぞれ、スモールセルＳＣ＃ｊを形成してよい。
【００３０】
ＨｅＮＢ＃ｊ及びスモールセルＳＣ＃ｊを区別しなくてよい場合は、それぞれ、「ＨｅＮＢ」及び「スモールセルＳＣ」と表記することがある。また、ＭｅＮＢとＨｅＮＢとを区別しなくてよい場合は、単に「ｅＮＢ」と表記することがある。
【００３１】
ＨｅＮＢ＃ｊも、ＭｅＮＢ＃ｉと同様に、Ｓ１インタフェースによってＭＭＥに通信可能に接続されてよい。ただし、ＨｅＮＢは、無線通信システム１において、マクロセルＭＣを形成するＭｅＮＢに比して大量に設置されることが想定される。大量に設置されたＨｅＮＢが、ＭＭＥに対して、直接、Ｓ１接続すると、ＭＭＥの負荷が増大し得る。
【００３２】
ＭＭＥの負荷増大を抑制あるいは低減するために、ＨｅＮＢ＃ｊは、直接、ＭＭＥにＳ１接続するのではなく、図３に模式的に例示するように、ゲートウェイ（ＧＷ）にＳ１接続されてよい。ＨｅＮＢ＃ｊがＳ１接続されるＧＷは、便宜的に、「ＨｅＮＢ  ＧＷ」と称してよい。
【００３３】
複数のＨｅＮＢ＃ｊを収容した１台のＨｅＮＢ  ＧＷが、ＭＭＥにＳ１接続することで、ＭＭＥが管理する、Ｓ１接続の数を減らすことができる。したがって、ＭＭＥの負荷を軽減することができる。
【００３４】
例示的に、ＨｅＮＢ  ＧＷは、ＨｅＮＢ＃ｊから受信したＳ１メッセージと、Ｓ１接続の下位レイヤに属するＳＣＴＰのメッセージと、を集約してＭＭＥに通知してよい。「ＳＣＴＰ」は、「Stream Control Transmission Protocol」の略称である。
【００３５】
例えば、無線通信システム１において、１００台のＨｅＮＢ＃１〜＃１００が存在すると仮定する。１００台のＨｅＮＢのそれぞれが、直接、ＭＭＥにＳ１接続する場合、１００組のＳＣＴＰ接続及びＳ１接続が確立するため、ＭＭＥは、１００組のＳＣＴＰ接続及びＳ１接続を管理することになる。
【００３６】
これに対し、図３に例示するように、ＨｅＮＢ  ＧＷが設置されている場合、ＨｅＮＢ  ＧＷは、ＨｅＮＢとの間のＳＣＴＰ接続及びＳ１接続を終端し、ＭＭＥに対して、１組のＳＣＴＰ接続及びＳ１接続を確立する。
【００３７】
併せて、ＨｅＮＢ  ＧＷは、１００台のＨｅＮＢとの間の、１００組のＳＣＴＰ接続及びＳ１接続と、ＭＭＥとの間の１組のＳＣＴＰ接続及びＳ１接続と、を関連付ける。これにより、ＭＭＥは、ＨｅＮＢ  ＧＷとの間の１組のＳＣＴＰ接続及びＳ１接続を管理すればよくなり、負荷が軽減される。
【００３８】
なお、ＨｅＮＢとＨｅＮＢ  ＧＷとの間のＳＣＴＰ接続及びＳ１接続のうち、何組のＳＣＴＰ及びＳ１接続を、ＨｅＮＢ  ＧＷとＭＭＥとの間の１組のＳＣＴＰ接続及びＳ１接続に関連付けるか、また、どのような論理で関連付けるかは、実装マターでよい。
【００３９】
また、無線通信システム１に、ＨｅＮＢ  ＧＷが設置されるか否かに関わらず、Ｓ１メッセージのフォーマットには変更を加えてなくてよい。ＨｅＮＢ  ＧＷが設置されても、図３に例示したように、ＳＣＴＰ接続とＳ１接続とは１対１に対応付けられるからである。
【００４０】
ところで、ＬＴＥでは、Ｓ１インタフェースの他にＸ２インタフェースが規定されている。Ｘ２インタフェースは、基地局間通信を行なうための基地局間インタフェースの一例である。
【００４１】
例えば図１に例示したＭｅＮＢ＃ｉは、図４に例示するように、互いに、Ｘ２インタフェースによって接続されて、Ｘ２インタフェースを介して通信することが可能である。
【００４２】
Ｘ２インタフェースによる接続は、便宜的に、「Ｘ２接続」と称してよい。Ｘ２接続は、「基地局間接続」の一例である。Ｘ２接続にて送受信される信号やメッセージは、便宜的に、Ｘ２信号（又はＸ２ＡＰ信号）あるいはＸ２メッセージ（又はＸ２ＡＰメッセージ）と称されてよい。Ｘ２メッセージは、「基地局間メッセージ」の一例である。
【００４３】
また、図２に例示したように、無線通信システム１に、ＨｅＮＢ＃ｊが設置される場合、図５に例示するように、ＭｅＮＢ−ＭｅＮＢ間、ＭｅＮＢ−ＨｅＮＢ間、及び、ＨｅＮＢ−ＨｅＮＢ間のそれぞれがＸ２接続されてよく、Ｘ２接続による基地局間通信が行なわれてよい。
【００４４】
ここで、無線通信システム１において大量に設置されたＨｅＮＢ＃ｊが、ＭｅＮＢ＃ｉに対して、直接、Ｘ２接続すると、ＭｅＮＢの負荷が増大し得る。
【００４５】
ＭｅＮＢの負荷増大を抑止あるいは低減するために、３ＧＰＰリリース１２（3GPP Rel. 12）以降では、ＨｅＮＢを、直接、ＭｅＮＢにＸ２接続するのではなく、図６に模式的に例示するように、ＧＷにＸ２接続することが検討されている。ＨｅＮＢがＸ２接続されるＧＷは、便宜的に、「Ｘ２  ＧＷ」と称してよい。
【００４６】
複数のＨｅＮＢがＸ２接続された１台のＸ２  ＧＷが、ＭｅＮＢにＸ２接続することで、ＭｅＮＢが管理する、Ｘ２接続の下位レイヤに属するＳＣＴＰ接続の数を減らすことができる。
【００４７】
例示的に、Ｘ２  ＧＷは、ＨｅＮＢから受信したＸ２接続の下位レイヤに属するＳＣＴＰのメッセージを集約してＭｅＮＢに通知してよい。
【００４８】
例えば、無線通信システム１に、１００台のＨｅＮＢ＃１〜＃１００が存在すると仮定する。１００台のＨｅＢＮは、それぞれ、ＳＣＴＰ接続及びＸ２接続を確立するため、１００台のＨｅＮＢがＭｅＮＢと、直接、Ｘ２接続すると、ＭｅＮＢは、１００組のＳＣＴＰ接続及びＸ２接続を管理することになる。
【００４９】
これに対し、図６に例示するように、無線通信システム１に、ＨｅＮＢ  ＧＷが設置された場合、Ｘ２  ＧＷは、ＨｅＮＢとの間のＳＣＴＰ接続を終端し、ＭｅＮＢに対して１つのＳＣＴＰ接続を接続してよい。
【００５０】
併せて、Ｘ２  ＧＷは、ＨｅＮＢとの間の１００組のＳＣＴＰ接続及びＸ２接続と、ＭｅＮＢとの間の１つのＳＣＴＰ接続と、を関連付けてよい。これにより、ＭｅＮＢは、例えば、１つのＳＣＴＰ接続と、１００個のＸ２接続と、を管理すればよくなり、負荷が軽減される。
【００５１】
なお、ＭｅＮＢ−ＭｅＮＢ間、ＨｅＮＢ−ＭｅＮＢ間、及び、ＨｅＮＢ−ＨｅＮＢ間で、直接、Ｘ２接続する場合と、Ｘ２  ＧＷを介してＸ２接続する場合とでは、異なるフォーマットのＸ２メッセージが用いられてよい。
【００５２】
Ｘ２  ＧＷを介してＸ２接続する場合では、図６に例示したように、ＭｅＮＢとＸ２  ＧＷとの間において、Ｘ２接続は１つのＳＣＴＰ接続において１つに集約されず、ＳＣＴＰ接続とＸ２接続とが必ずしも１対１に対応付けられないからである。
【００５３】
Ｘ２接続がＸ２  ＧＷを介する場合、図７に例示するように、Ｘ２  ＧＷを介さないＸ２メッセージをＲＮＬヘッダと共にカプセル化したＸ２メッセージが用いられてよい。当該Ｘ２メッセージは、「X2AP: MESSAGE TRANSFER」と称されてよい。なお、「ＲＮＬ」は、「Radio Network Layer」の略称である。ＲＮＬヘッダは、「X2AP: MESSAGE TRANSFER」の情報要素（Information Element, IE）の一例である。
【００５４】
ＲＮＬヘッダには、図８に例示するように、ＩＥの一例として、送信元ｅＮＢ識別子（Source eNB ID）と、宛先ｅＮＢ識別子（Target eNB ID）と、が含まれてよい。
【００５５】
「ｅＮＢ  ＩＤ」は、ｅＮＢの識別情報の一例である。また、「Source eNB ID」は、カプセル化されたＸ２メッセージの送信元情報の一例であり、「Target eNB ID」は、カプセル化されたＸ２メッセージの宛先情報の一例である。
【００５６】
Ｘ２  ＧＷは、「X2AP: MESSAGE TRANSFER」を受信した場合、宛先情報「Target eNB ID」を参照して、受信した「X2AP: MESSAGE TRANSFER」の転送先を決定してよい。
【００５７】
図９に、「X2AP: MESSAGE TRANSFER」の転送例を示す。図９には、図６と同様に、３台のＨｅＮＢ＃１〜＃３がＸ２  ＧＷに対してＸ２接続する態様を例示している。また、ＨｅＮＢ＃１〜＃３のｅＮＢ  ＩＤは、それぞれ、Ｈ１，Ｈ２及びＨ３であり、ＭｅＮＢ＃１のｅＮＢは、Ｍ１であると仮定する。
【００５８】
ＨｅＮＢ＃１は、ＭＭＥ宛に「X2AP: MESSAGE TRANSFER」を送信する場合、「Source eNB ID」に「Ｈ１」を設定し、「Target eNB ID」に「Ｍ１」を設定した「X2AP: MESSAGE TRANSFER」を生成してＸ２インタフェースへ送信する。
【００５９】
Ｘ２  ＧＷは、当該「X2AP: MESSAGE TRANSFER」をＸ２インタフェースにて受信すると、「Target eNB ID」を参照する。「Target eNB ID」には、ＭｅＮＢ＃１のｅＮＢ  ＩＤである「Ｍ１」が設定されているので、Ｘ２  ＧＷは、ＭｅＮＢ＃１宛に、受信した「X2AP: MESSAGE TRANSFER」を転送する。
【００６０】
ＨｅＮＢ＃２及びＨｅＮＢ＃３が、ＭｅＮＢ＃１宛に「X2AP: MESSAGE TRANSFER」を送信する場合も同様である。
【００６１】
また、ＨｅＮＢ＃３は、ＨｅＮＢ＃２宛に「X2AP: MESSAGE TRANSFER」を送信する場合、「Source eNB ID」に「Ｈ３」を設定し、「Target eNB ID」に「Ｈ２」を設定した「X2AP: MESSAGE TRANSFER」を生成してＸ２インタフェースへ送信する。
【００６２】
Ｘ２  ＧＷは、当該「X2AP: MESSAGE TRANSFER」をＸ２インタフェースにて受信すると、「Target eNB ID」を参照する。「Target eNB ID」には、ＨｅＮＢ＃２のｅＮＢ  ＩＤである「Ｈ２」が設定されているので、Ｘ２  ＧＷは、ＨｅＮＢ＃２宛に、受信した「X2AP: MESSAGE TRANSFER」を転送する。
【００６３】
ＨｅＮＢ＃３がＨｅＮＢ＃１宛に、ＨｅＮＢ＃１がＨｅＮＢ＃２又は＃３宛に、あるいは、ＨｅＮＢ＃２がＨｅＮＢ＃１又は＃３宛に、「X2AP: MESSAGE TRANSFER」を送信する場合も同様である。
【００６４】
なお、Ｘ２  ＧＷは、「Target eNB ID」で指定されたｅＮＢ宛への「X2AP: MESSAGE TRANSFER」の転送を可能にするために、ｅＮＢのＩＤ（eNB ID）とＩＰ（Internet Protocol）アドレスとを関連付けて記憶しておく。なお、ＩＰアドレスは、アドレス情報の一例である。
【００６５】
例えば、Ｘ２  ＧＷに接続するｅＮＢは、起動時等において、Ｘ２  ＧＷ宛に、「Target eNB ID」とＸ２メッセージとを含まない「X2AP: MESSAGE TRANSFER」を送信してよい。
【００６６】
Ｘ２  ＧＷは、当該「X2AP: MESSAGE TRANSFER」の受信によって、「Source eNB ID」に設定されたｅＮＢ  ＩＤと、当該「X2AP: MESSAGE TRANSFER」の送信元アドレスの一例であるＩＰアドレスと、を関連付けて記憶することが可能である。
【００６７】
（Ｘ２接続の確立手順）
次に、Ｘ２接続の確立手順の一例について説明する。
第１のｅＮＢは、近隣に別の第２のｅＮＢが存在することを検出した場合、第２のｅＮＢに対してＸ２接続の確立を試行してよい。第１のｅＮＢ及び第２のｅＮＢは共にＭｅＮＢ及びＨｅＮＢのいずれであってもよい。
【００６８】
第２のｅＮＢが存在することは、例示的に、第１のｅＮＢ及び第２のｅＮＢのセルの双方に位置するＵＥ（User Equipment）が、第２のｅＮＢから受信した信号に含まれる第２のｅＮＢのＩＤを、第１のｅＮＢに通知することで検出されてよい。なお、ＵＥは、無線端末や無線機器の一例である。
【００６９】
Ｘ２接続の確立には、例示的に、Ｘ２接続を行なう各ｅＮＢのＩＰアドレスが用いられてよい。そのため、第１のｅＮＢは、第２のｅＮＢとＸ２接続を確立する場合、第２のｅＮＢのＩＰアドレスを取得する。
【００７０】
第２のｅＮＢのＩＰアドレスは、例示的に、第２のｅＮＢとＳ１インタフェースによって接続するＭＭＥが、Ｓ１メッセージを用いて取得できる。
【００７１】
そのため、第１のｅＮＢは、図１０に模式的に例示するように、第２のｅＮＢとＸ２  ＧＷを介さないＸ２接続を確立する場合、以下の手順に例示するように、第２のｅＮＢのＩＰアドレスをＭＭＥに問い合わせて取得してよい。
【００７２】
なお、図１０において、ｅＮＢ＃１のｅＮＢ  ＩＤは「Ａ」であり、ＩＰアドレスは「ａ」であると仮定する。また、ｅＮＢ＃２のｅＮＢ  ＩＤは「Ｂ」であり、ＩＰアドレスは「ｂ」であると仮定する。
【００７３】
（手順１）ｅＮＢ＃２の存在を検出したｅＮＢ＃１は、Ｓ１メッセージ「S1AP: eNB CONFIGURATION TRANSFER」に、ＩＰアドレスを知りたい相手ｅＮＢ＃２のｅＮＢ  ＩＤ＝Ｂを設定し、当該Ｓ１メッセージをＭＭＥ宛に送信してよい。
【００７４】
ＩＰアドレスを知りたいｅＮＢのｅＮＢ  ＩＤは、例えば図１２に示すように、「S1AP: eNB CONFIGURATION TRANSFER」のＩＥである「Target eNB ID」に設定されてよい。ＩＰアドレスを知りたいｅＮＢがＨｅＮＢである場合は、「S1AP: eNB CONFIGURATION TRANSFER」の「SON Information Request」に「X2 TNL Configuration Info.」が指定されてよい。
【００７５】
（手順２）ＭＭＥは、「S1AP: eNB CONFIGURATION TRANSFER」を受信すると、要求されたｅＮＢ  ＩＤ＝「Ｂ」のｅＮＢ＃２宛に、ＩＰアドレスの応答を要求する「S1AP: MME CONFIGURATION TRANSFER」を送信してよい。
【００７６】
（手順３）「S1AP: MME CONFIGURATION TRANSFER」の受信により、ＩＰアドレスの応答を要求されたｅＮＢ＃２は、当該ｅＮＢ＃２のＩＰアドレス＝「ｂ」を設定した「S1AP: eNB CONFIGURATION TRANSFER」を、ＭＭＥへ返信してよい。
【００７７】
なお、ＩＰアドレスの応答を要求された（別言すると、問い合わせを受けた）ｅＮＢのｅＮＢ  ＩＤは、「S1AP: eNB CONFIGURATION TRANSFER」のＩＥである「Target eNB-ID」（例えば図１３参照）に設定されてよい。
【００７８】
（手順４）ＭＭＥは、ｅＮＢ＃２が送信した「S1AP: eNB CONFIGURATION TRANSFER」を受信すると、ＩＰアドレス＝「ｂ」が設定された「S1AP: MME CONFIGURATION TRANSFER」を、ＩＰアドレス要求元のｅＮＢ＃１宛に送信する。
【００７９】
（手順５）ｅＮＢ＃１は、ＭＭＥから当該「S1AP: MME CONFIGURATION TRANSFER」を受信することによって、相手ｅＮＢ＃２のＩＰアドレス＝ｂを取得できる。したがって、ｅＮＢ＃１は、当該ＩＰアドレス＝ｂを用いて相手ｅＮＢ＃２に対してＸ２接続の確立を要求できる。
【００８０】
以上のように、ｅＮＢ＃１は、Ｘ２  ＧＷを介さないＸ２接続を確立しようとした場合、相手ｅＮＢ＃２のＩＰアドレスを、「S1AP eNB CONFIGURATION TRANSFER」にて、ＭＭＥに問い合わせてよい。
【００８１】
これに対し、図１１に模式的に例示するように、Ｘ２  ＧＷとＸ２接続をサポートするｅＮＢ#１が、同じく当該Ｘ２  ＧＷとのＸ２接続をサポートするｅＮＢ＃２と、Ｘ２  ＧＷを介したＸ２接続を確立する場合を想定する。
【００８２】
この場合、ｅＮＢ＃１は、例えば、以下の手順で、相手ｅＮＢ＃２がＸ２  ＧＷとのＸ２接続に用いるＩＰアドレスを取得できる。
【００８３】
（手順１）ｅＮＢ＃１が、相手ｅＮＢ＃２がＸ２  ＧＷとのＸ２接続に用いるＩＰアドレスを知りたい場合、「IE: eNB Indirect X2 Transport Layer Addresses」を含めた「S1AP: eNB CONFIGURATION TRANSFER」をＭＭＥ宛に送信してよい。「IE: eNB Indirect X2 Transport Layer Addresses」（図１２参照）に、ｅＮＢ＃１が接続可能なＸ２  ＧＷのＩＰアドレスが設定されてよい。
【００８４】
（手順２）当該「S1AP: eNB CONFIGURATION TRANSFER」は、図１０の例と同様に、ＭＭＥから宛先ｅＮＢ＃２へ転送される。
【００８５】
（手順３）ｅＮＢ＃２は、当該ｅＮＢ＃２がＸ２接続可能なＸ２  ＧＷのＩＰアドレスを「IE: eNB Indirect X2 Transport Layer Addresses」（図１３参照）に設定した「S1AP: eNB CONFIGURATION TRANSFER」を生成してＭＭＥに返信してよい。
【００８６】
（手順４）ＭＭＥは、当該「S1AP: eNB CONFIGURATION TRANSFER」で通知されたＸ２  ＧＷのＩＰアドレスを、「IE: eNB Indirect X2 Transport Layer Addresses」に設定した「S1AP: MME CONFIGURATION TRANSFER」を生成してよい。ＭＭＥは、当該「S1AP: MME CONFIGURATION TRANSFER」をｅＮＢ＃１宛に送信することで、ＩＰアドレス要求元のｅＮＢ＃１に、Ｘ２  ＧＷのＩＰアドレスを通知、応答してよい。
【００８７】
（手順５）ｅＮＢ＃１は、ＭＭＥから当該「S1AP: MME CONFIGURATION TRANSFER」を受信することによって、相手ｅＮＢ＃２がＸ２  ＧＷとのＸ２接続に用いるＩＰアドレスを取得できる。
【００８８】
したがって、ｅＮＢ＃１は、当該ＩＰアドレスを用いて、相手ｅＮＢ＃２がＸ２接続可能なＸ２  ＧＷに、当該Ｘ２  ＧＷを介した相手ｅＮＢ＃２との間のＸ２接続の確立を要求できる。
【００８９】
ところで、Ｘ２  ＧＷは、既述のように、ＭｅＮＢのセルに対して大量のＨｅＮＢが設置されたとしても、ＭｅＮＢの負荷を軽減するために設置される。しかしながら、既述のように、Ｘ２  ＧＷを介したＸ２接続とＸ２  ＧＷを介さないＸ２接続とで、異なるフォーマットのＸ２メッセージが用いられると、既存ネットワークへの適合性が悪化し得る。
【００９０】
例えば、3GPP Rel. 11以前のＭｅＮＢが、ＨｅＮＢにＸ２接続しようとした場合にＭＭＥ宛に送信する「S1AP: eNB CONFIGURATION TRANSFER」には、Ｘ２  ＧＷ向けの「IE: eNB Indirect X2 Transport Layer Addresses」は設定されない。
【００９１】
一方、3GPP Rel. 12以降のＨｅＮＢは、ＭＭＥ宛の応答に用いる「S1AP: MME CONFIGURATION TRANSFER」に、「IE: eNB Indirect X2 Transport Layer Addresses」を設定する。しかし、3GPP Rel. 11以前のＭｅＮＢは、当該ＩＥを読み取れない。
【００９２】
そのため、Ｘ２  ＧＷの設置は、ＭｅＮＢが3GPP Rel. 12以降のバージョンで規定されるＸ２  ＧＷとのＸ２接続をサポートしていることが前提となってしまう。
【００９３】
そこで、以下では、無線通信システム１において、Ｘ２  ＧＷとのＸ２接続をサポートするＭｅＮＢとサポートしないＭｅＮＢとが混在しても、いずれのｅＮＢ間についても適切なＸ２接続を可能にする技術の一例について説明する。
【００９４】
なお、以下の説明では、3GPP Rel. 11以前のバージョンのＭｅＮＢや、3GPP Rel. 12以降のバージョンであってもＸ２  ＧＷとの接続をサポートしていないＭｅＮＢを、便宜的に、「ＬＭｅＮＢ（Legacy MeNB）」と総称する。
【００９５】
具体例として、図１４及び図１５に例示するように、ＬＭｅＮＢ、ＭｅＮＢ、ＨｅＮＢ、ＨｅＮＢ  ＧＷ、Ｘ２  ＧＷ、及び、ＭＭＥを備えた無線通信システム１を例に説明する。
【００９６】
なお、ＬＭｅＮＢは「第１の基地局」の一例であり、ＨｅＮＢは「第２の基地局」の一例である。ＨｅＮＢ  ＧＷは、ＭＭＥとＨｅＮＢとの間の通信を中継する「第１の中継ノード」の一例である。Ｘ２  ＧＷは、ＨｅＮＢがＸ２接続可能な「第２の中継ノード」の一例である。
【００９７】
図１４及び図１５に例示するＨｅＮＢ  ＧＷは、例示的に、以下の処理を実施してよい。
【００９８】
（１）ＨｅＮＢ  ＧＷには、Ｓ１接続での通信に用いられる第１のアドレス情報（例えば、ＩＰアドレス）とは別に、Ｘ２接続の確立に用いられる追加的な第２のアドレス情報（例えば、ＩＰアドレス）が割り当てられてよい。
【００９９】
第２のＩＰアドレスは、便宜的に、「擬似Ｘ２接続用ＩＰアドレス」と称してよい。第２のＩＰアドレスは、例えば、ＬＭｅＮＢが、当該ＨｅＮＢ  ＧＷにＸ２接続が可能なＨｅＮＢと、Ｘ２  ＧＷを介したＸ２接続を確立する際に用いられてよい。
【０１００】
（２）ＭｅＮＢ又はＬＭｅＮＢが、ＨｅＮＢとＸ２接続を確立するために、ＨｅＮＢのＩＰアドレスをＭＭＥ宛に要求すると、図１４及び図１５に例示するように、ＭＭＥから「S1AP: MME CONFIGURATION TRANSFER」がＨｅＮＢ  ＧＷで受信される。なお、図１４及び図１５に例示する動作例については後述する。
【０１０１】
ＨｅＮＢ  ＧＷは、ＭＭＥから受信した「S1AP: MME CONFIGURATION TRANSFER」を構成するＩＥを確認して、「IE: eNB Indirect X2 Transport Layer Addresses」が設定（「選択」と称してもよい。）されているか否かを判定してよい。
【０１０２】
「IE: eNB Indirect X2 Transport Layer Addresses」が選択されていれば、当該「S1AP: MME CONFIGURATION TRANSFER」は、Ｘ２  ＧＷとのＸ２接続をサポートするＭｅＮＢがＭＭＥ宛に送信したＳ１メッセージであると判定できる。
【０１０３】
一方、「IE: eNB Indirect X2 Transport Layer Addresses」が選択されていなければ、当該「S1AP: MME CONFIGURATION TRANSFER」は、Ｘ２  ＧＷとのＸ２接続をサポートしないＬＭｅＮＢがＭＭＥ宛に送信したＳ１メッセージであると判定できる。
【０１０４】
ＨｅＮＢ  ＧＷは、「IE: eNB Indirect X2 Transport Layer Addresses」が選択された「S1AP: MME CONFIGURATION TRANSFER」についてはＨｅＮＢへ転送（「透過」と称してもよい。）してよい。
【０１０５】
「IE: eNB Indirect X2 Transport Layer Addresses」が非選択の「S1AP: MME CONFIGURATION TRANSFER」については、ＨｅＮＢ  ＧＷは、ＨｅＮＢへは転送せずに終端してよい。
【０１０６】
併せて、ＨｅＮＢ  ＧＷは、当該ＨｅＮＢ  ＧＷのＩＰアドレスの一例である擬似Ｘ２接続用ＩＰアドレスを、ＭＭＥ宛に送信してよい。擬似Ｘ２接続用ＩＰアドレスは、例示的に、ＭＭＥ宛の「S1AP: eNB CONFIGURATION TRANSFER」における「IE: eNB Indirect X2 Transport Layer Addresses」に設定されてよい。
【０１０７】
併せて、ＨｅＮＢ  ＧＷは、受信した「S1AP: MME CONFIGURATION TRANSFER」において、「IE: Target eNB ID」及び「IE: Source eNB ID」のそれぞれに設定されているｅＮＢ  ＩＤを関連付けて記憶してよい。
【０１０８】
例示的に、ＨｅＮＢ  ＧＷは、図１７に示すようなＸ２マッピングテーブル１９に、「IE: Target eNB-ID」及び「IE: Source eNB ID」のそれぞれに設定されているｅＮＢ  ＩＤを関連付けて登録、記憶してよい。
【０１０９】
ここで、「IE: Target eNB ID」に設定されているｅＮＢ  ＩＤは、例示的に、ＬＭｅＮＢがＸ２接続を試みたＨｅＮＢのｅＮＢ  ＩＤに相当する。「IE: Source eNB ID」に設定されているｅＮＢ  ＩＤは、例示的に、当該ＨｅＮＢにＸ２接続を試みたＬＭｅＮＢのｅＮＢ  ＩＤに相当する。
【０１１０】
なお、当該Ｘ２マッピングテーブル１９には、Ｘ２接続が確立済みであるか否かを示すフラグ情報（例えば、Ｙｅｓ又はＮｏ）が併せて登録されてよい。当該フラグ情報は、便宜的に、「Ｘ２確立フラグ」と称してよい。上記の関連付けがＸ２マッピングテーブル１９に登録された時点では、Ｘ２接続は未確立であるため、Ｘ２確立フラグは「Ｎｏ」を示す情報に設定されてよい。
【０１１１】
（アドレス取得処理）
以下、図１４〜図１８を参照して、ＭｅＮＢ及びＬＭｅＮＢが、ＨｅＮＢとＸ２  ＧＷを介したＸ２接続を確立しようとした場合の、ＩＰアドレスの取得処理に着目した動作例について説明する。
【０１１２】
図１４は、ＭｅＮＢがＨｅＮＢとＸ２接続しようとした場合のメッセージ転送例を示し、図１５は、ＬＭｅＮＢがＨｅＮＢとのＸ２接続を試みた場合のメッセージ転送例を示す。また、図１６は、図１４及び図１５の例でのＨｅＮＢ  ＧＷに着目した動作例を示すフローチャートである。更に、図１８は、図１５の例に対応するシーケンス図である。
【０１１３】
図１４に例示するように、Ｘ２  ＧＷとのＸ２接続をサポートするＭｅＮＢは、ＨｅＮＢとＸ２  ＧＷを介したＸ２接続を確立しようとする場合、ＨｅＮＢがＸ２  ＧＷとのＸ２接続に用いるＩＰアドレスをＭＭＥに問い合わせて（あるいは要求して）よい。
【０１１４】
例えば、ＭｅＮＢは、「IE: eNB Indirect X2 Transport Layer Addresses」（図１２参照）を設定したＳ１メッセージ「S1AP: eNB CONFIGURATION TRANSFER」を、ＭＭＥ宛に送信してよい（手順１）。当該Ｓ１メッセージは、ｅＮＢがＭＭＥにＩＰアドレスを要求するメッセージの一例であり、便宜的に、「ｅＮＢアドレス要求メッセージ」と称してよい。
【０１１５】
ＭＭＥは、ＭｅＮＢが送信したｅＮＢアドレス要求メッセージ「S1AP: eNB CONFIGURATION TRANSFER」を受信すると、図１０の例と同様に、「S1AP: MME CONFIGURATION TRANSFER」をＨｅＮＢ宛に送信してよい（手順２）。
【０１１６】
「S1AP: MME CONFIGURATION TRANSFER」は、ＭＭＥがｅＮＢにＩＰアドレスを要求するＳ１メッセージの一例であり、便宜的に、ＭＭＥアドレス要求メッセージと称してよい。
【０１１７】
ここで、ＭＭＥは、当該ＭＭＥアドレス要求メッセージに、ＭｅＮＢから受信したｅＮＢアドレス要求メッセージの「IE: eNB Indirect X2 Transport Layer Addresses」を設定してよい。
【０１１８】
「IE: eNB Indirect X2 Transport Layer Addresses」の設定により、ＭＭＥアドレス要求メッセージにて、ＨｅＮＢがＸ２接続可能なＸ２  ＧＷのＩＰアドレスを要求できる。
【０１１９】
ＭＭＥがＨｅＮＢ宛に送信したＭＭＥアドレス要求メッセージ「S1AP: MME CONFIGURATION TRANSFER」は、宛先ＨｅＮＢに到達する前に、宛先ＨｅＮＢが接続するＨｅＮＢ  ＧＷにて受信される。
【０１２０】
ＨｅＮＢ  ＧＷは、ＭＭＥアドレス要求メッセージ「S1AP: MME CONFIGURATION TRANSFER」を受信すると（図１６の処理Ｐ１０）、当該メッセージを構成するＩＥを確認してよい（図１６の処理Ｐ１１〜Ｐ１３）。
【０１２１】
例えば、ＨｅＮＢ  ＧＷは、受信した「S1AP: MME CONFIGURATION TRANSFER」の「IE: SON Information」において「IE: SON Information Request」が選択されているか否かを確認してよい（処理Ｐ１１）。
【０１２２】
「IE: SON Information Request」が選択されていれば（処理Ｐ１１でＹＥＳ）、ＨｅＮＢ  ＧＷは、「IE: SON Information Request」において「X2 TNL Configuration Info.」が選択されているか否かを更に確認してよい（処理Ｐ１２）。
【０１２３】
「X2 TNL Configuration Info.」が選択されていれば（処理Ｐ１２でＹＥＳ）、ＨｅＮＢ  ＧＷは、「X2 TNL Configuration Info.」において「IE: eNB Indirect X2 Transport Layer Addresses」が設定されているか否かを確認してよい（処理Ｐ１３）。
【０１２４】
図１４の例では、ＭＭＥから受信したＭＭＥアドレス要求メッセージ「S1AP: MME CONFIGURATION TRANSFER」には、「IE: eNB Indirect X2 Transport Layer Addresses」が設定されているから、処理Ｐ１３においてＹＥＳと判定される。
【０１２５】
そのため、ＨｅＮＢ  ＧＷは、当該ＭＭＥアドレス要求メッセージ「S1AP: MME CONFIGURATION TRANSFER」を、ＨｅＮＢ宛に転送（「透過」と称してもよい。）してよい（処理Ｐ１５及び図１４の手順３）。
【０１２６】
なお、「IE: SON Information」において「IE: SON Information Request」が非選択の場合（図１６の処理Ｐ１１でＮＯ）も、ＨｅＮＢ  ＧＷは、受信した「S1AP: MME CONFIGURATION TRANSFER」をＨｅＮＢ宛に転送してよい。
【０１２７】
また、「IE: SON Information Request」は選択されているが「X2 TNL Configuration Info.」が非選択の場合（処理Ｐ１１でＹＥＳ及び処理Ｐ１２でＮＯ）も同様に、受信した「S1AP: MME CONFIGURATION TRANSFER」が、ＨｅＮＢへ転送されてよい。
【０１２８】
ＨｅＮＢは、ＨｅＮＢ  ＧＷから転送されたＭＭＥアドレス要求メッセージ「S1AP: MME CONFIGURATION TRANSFER」を受信すると、当該ＨｅＮＢがＸ２接続可能なＸ２  ＧＷのＩＰアドレスをＭＭＥ宛に返信、応答してよい（図１４の手順４）。
【０１２９】
ＩＰアドレスの応答には、例示的に、「S1AP: eNB CONFIGURATION TRANSFER」が用いられてよい。当該Ｓ１メッセージは、ＩＰアドレスの問い合わせを受けたｅＮＢがＭＭＥ宛にＩＰアドレスを応答するメッセージの一例であり、便宜的に、「ｅＮＢアドレス応答メッセージ」と称してよい。
【０１３０】
例えば、ＨｅＮＢは、Ｘ２  ＧＷのＩＰアドレスを「IE: eNB Indirect X2 Transport Layer Addresses」（図１３参照）に設定したｅＮＢアドレス応答メッセージ「S1AP: eNB CONFIGURATION TRANSFER」を生成してＭＭＥ宛に返信、応答してよい。
【０１３１】
当該ｅＮＢアドレス応答メッセージ「S1AP: eNB CONFIGURATION TRANSFER」は、ＭＭＥに到達する前に、ＨｅＮＢ  ＧＷにて受信される。ＨｅＮＢ  ＧＷは、ｅＮＢアドレス応答メッセージ「S1AP: eNB CONFIGURATION TRANSFER」の受信に応じて、既述の処理Ｐ１１〜Ｐ１３と同様に、ＩＥの確認を行なってよい。
【０１３２】
ここで、ＨｅＮＢが送信したｅＮＢアドレス応答メッセージ「S1AP: eNB CONFIGURATION TRANSFER」には、「IE: eNB Indirect X2 Transport Layer Addresses」が設定されている。そのため、図１６の処理Ｐ１１〜Ｐ１３でいずれもＹＥＳと判定される。
【０１３３】
したがって、ＨｅＮＢ  ＧＷは、ＨｅＮＢから受信したｅＮＢアドレス応答メッセージ「S1AP: eNB CONFIGURATION TRANSFER」を、ＭＭＥ宛に転送してよい（図１６の処理Ｐ１５及び図１４の手順５）。
【０１３４】
ＭＭＥは、当該ｅＮＢアドレス応答メッセージで通知されたＸ２  ＧＷのＩＰアドレスを、「IE: eNB Indirect X2 Transport Layer Addresses」に設定したＳ１メッセージ「S1AP: MME CONFIGURATION TRANSFER」を生成してよい。
【０１３５】
当該Ｓ１メッセージは、ＭＭＥがＩＰアドレスの要求元（別言すると、ｅＮＢアドレス要求メッセージの送信元）へＩＰアドレスを返信又は応答するメッセージの一例であり、便宜的に、「ＭＭＥアドレス応答メッセージ」と称してよい。
【０１３６】
ＭＭＥは、生成したＭＭＥアドレス応答メッセージ「S1AP: MME CONFIGURATION TRANSFER」を、アドレス要求元のＭｅＮＢ宛に送信してよい。当該ＭＭＥアドレス応答メッセージをＭｅＮＢが受信することで、ＭｅＮＢにＸ２  ＧＷのＩＰアドレスが通知される（図１４の手順６）。
【０１３７】
以上のように、ＭｅＮＢは、ＭＭＥに対して、ＨｅＮＢがＸ２  ＧＷとのＸ２接続に用いるＩＰアドレスをＳ１メッセージによって問い合わせることで、当該ＩＰアドレスを取得できる。
【０１３８】
ＭｅＮＢは、図１１に例示したように、取得したＩＰアドレスを用いて、ＨｅＮＢがＸ２接続可能なＸ２  ＧＷに、当該Ｘ２  ＧＷを介したＨｅＮＢとの間のＸ２接続の確立を要求できる。これにより、ＭｅＮＢは、ＨｅＮＢとＸ２  ＧＷを介したＸ２接続を確立できる。
【０１３９】
次に、ＬＭｅＮＢが、ＨｅＮＢとＸ２  ＧＷを介したＸ２接続を確立しようとした場合の動作例について説明する。
【０１４０】
図１５に例示するように、ＬＭｅＮＢは、ＨｅＮＢのＩＰアドレスを要求するｅＮＢアドレス要求メッセージ「S1AP: eNB CONFIGURATION TRANSFER」を、ＭＭＥ宛に送信してよい（手順１及び図１８の処理Ｐ２１）。
【０１４１】
当該ｅＮＢアドレス要求メッセージ「S1AP: eNB CONFIGURATION TRANSFER」には、「IE: SON Configuration Transfer」（図１２参照）の「Target eNB ID」に、ＬＬＭｅＮＢがＩＰアドレスを知りたいＨｅＮＢのｅＮＢ  ＩＤが設定されてよい。また、ＩＰアドレスを知りたいｅＮＢがＨｅＮＢであるため、「IE: SON Information Request」に、「X2 TNL Configuration Info.」が指定されてよい。
【０１４２】
ただし、ＬＭｅＮＢは、Ｘ２  ＧＷとのＸ２接続をサポートしていないため、「X2 TNL Configuration Info.」に、「IE: eNB Indirect X2 Transport Layer Addresses」は設定されない（「設定をサポートしていない」と云ってもよい）。
【０１４３】
ＭＭＥは、ＬＭｅＮＢからｅＮＢアドレス要求メッセージを受信すると、図１０の例と同様に、ＨｅＮＢ宛に、ＭＭＥアドレス要求メッセージ「S1AP: MME CONFIGURATION TRANSFER」を送信して、ＩＰアドレスの返信を要求してよい。当該処理は、図１５の手順２及び図１８の処理Ｐ２２に相当する。
【０１４４】
ここで、ＭＭＥがＬＭｅＮＢから受信したｅＮＢアドレス要求メッセージ「S1AP: eNB CONFIGURATION TRANSFER」には、Ｘ２  ＧＷとのＸ２接続が可能な場合に設定される「IE: eNB Indirect X2 Transport Layer Addresses」が設定されていない。
【０１４５】
そのため、ＭＭＥがＨｅＮＢ宛に送信するＭＭＥアドレス要求メッセージ「S1AP: MME CONFIGURATION TRANSFER」にも、「IE: eNB Indirect X2 Transport Layer Addresses」は設定されない。
【０１４６】
ＭＭＥからＨｅＮＢ宛に送信されたＭＭＥアドレス要求メッセージ「S1AP: MME CONFIGURATION TRANSFER」は、宛先ＨｅＮＢに到達する前に、ＨｅＮＢ  ＧＷにて受信される。
【０１４７】
ＨｅＮＢ  ＧＷは、「S1AP: MME CONFIGURATION TRANSFER」を受信したため、図１６の処理Ｐ１１〜Ｐ１３に例示したＩＥの確認（「判定処理」と称してもよい。）を実施してよい（図１８の処理Ｐ２３）。
【０１４８】
ここで、ＨｅＮＢ  ＧＷがＭＭＥから受信したＭＭＥアドレス要求メッセージ「S1AP: MME CONFIGURATION TRANSFER」には、「IE: SON Information Request」が設定され、また、「IE: X2 TNL Configuration Info.」が指定されている。そのため、図１６の処理Ｐ１１及びＰ１２でＹＥＳと判定される。
【０１４９】
しかし、「IE: X2 TNL Configuration Info.」には、Ｘ２  ＧＷとのＸ２接続が可能な場合に設定される「IE: eNB Indirect X2 Transport Layer Addresses」が設定されていないため、図１６の処理Ｐ１３でＮＯと判定される。別言すると、ＨｅＮＢ  ＧＷは、ＭＭＥから受信したＭＭＥアドレス要求メッセージの送信元がＬＭｅＮＢであると判定してよい。
【０１５０】
したがって、ＨｅＮＢ  ＧＷは、ＭＭＥから受信したＭＭＥアドレス要求メッセージ「S1AP: MME CONFIGURATION TRANSFER」を、ＨｅＮＢ宛には転送せずに終端してよい。
【０１５１】
併せて、ＨｅＮＢ  ＧＷは、当該ＨｅＮＢ  ＧＷのＩＰアドレスを、ＭＭＥに応答、通知してよい。当該処理は、例えば、図１５の手順４、図１６の処理Ｐ１４、及び、図１８の処理Ｐ２５に相当する。
【０１５２】
ＭＭＥに応答、通知するＨｅＮＢ  ＧＷのＩＰアドレスは、既述の擬似Ｘ２接続用ＩＰアドレスであってよい。例えば、ＨｅＮＢ  ＧＷは、図１３に例示した、「IE: SON Configuration Transfer」の「IE: Target eNB ID」に擬似Ｘ２用ＩＰアドレスを設定した「S1AP: eNB CONFIGURATION TRANSFER」を生成してＭＭＥ宛に送信してよい。
【０１５３】
併せて、ＨｅＮＢ  ＧＷは、図１７に例示したように、ＭＭＥから受信したＭＭＥアドレス要求メッセージの「Source eNB ID」及び「Target eNB ID」のそれぞれに設定されていたｅＮＢ  ＩＤを関連付けてＸ２マッピングテーブル１９に記憶してよい。
【０１５４】
図１５の例では、ＭＭＥアドレス要求メッセージの「Source eNB ID」には、ＬＭｅＮＢのｅＮＢ  ＩＤが設定されており、「Target eNB ID」には、当該ＬＭｅＮＢがＸ２接続を試みたＨｅＮＢのｅＮＢ  ＩＤが設定されている。
【０１５５】
したがって、ＨｅＮＢ  ＧＷは、ＬＭｅＮＢのｅＮＢ  ＩＤと、当該ＬＭｅＮＢがＸ２接続を試みたＨｅＮＢのｅＮＢ  ＩＤと、を関連付けてＸ２マッピングテーブル１９に登録、記憶してよい。
【０１５６】
なお、Ｘ２マッピングテーブル１９への登録は、ＨｅＮＢ  ＧＷのＩＰアドレスを設定したｅＮＢアドレス応答メッセージ「S1AP: eNB CONFIGURATION TRANSFER」をＭＭＥ宛に返信する前でも後でもよいし、当該返信処理と並行して実施されてもよい。
【０１５７】
図１８には、非限定的な一例として、判定処理Ｐ２３の後、かつ、ｅＮＢアドレス応答メッセージ「S1AP: eNB CONFIGURATION TRANSFER」の返信処理Ｐ２５の前に、Ｘ２マッピングテーブル１９への登録処理Ｐ２４が実施される態様が示されている。
【０１５８】
ＭＭＥは、ＨｅＮＢ  ＧＷからｅＮＢアドレス応答メッセージにて通知されたＨｅＮＢ  ＧＷのＩＰアドレスを含むＭＭＥアドレス応答メッセージ「S1AP: MME CONFIGURATION TRANSFER」を生成してＬＭｅＮＢ宛に送信してよい。当該処理は、例えば図１５の手順５及び図１８の処理Ｐ２６に相当する。
【０１５９】
当該ＭＭＥアドレス応答メッセージ「S1AP: MME CONFIGURATION TRANSFER」においても、ＨｅＮＢ  ＧＷのＩＰアドレスは、図１３に例示したように、「IE: SON Configuration Transfer」の「IE: Target eNB ID」に設定されてよい。
【０１６０】
ＬＭｅＮＢは、ＭＭＥから当該ＭＭＥアドレス応答メッセージ「S1AP: MME CONFIGURATION TRANSFER」を受信することによって、Ｘ２接続を確立しようとしたＨｅＮＢのＩＰアドレスの代わりに、ＨｅＮＢ  ＧＷのＩＰアドレスを取得する。
【０１６１】
ただし、ＬＭｅＮＢは、取得したＨｅＮＢ  ＧＷのＩＰアドレスが、Ｘ２接続を確立しようとしたＨｅＮＢのＩＰアドレスであると認識している。そのため、ＬＭｅＮＢは、以後、取得したＩＰアドレスを用いてＨｅＮＢに対してＸ２接続の確立を要求しているつもりでも、実際には、ＨｅＮＢ  ＧＷに対して要求を行なっていることになる。
【０１６２】
ＨｅＮＢ  ＧＷは、ＬＭｅＮＢからＨｅＮＢに対するＸ２接続の確立が要求されると、例えばＸ２マッピングテーブル１９のエントリに基づいて、ＬＭｅＮＢとＨｅＮＢとのＸ２  ＧＷを介したＸ２接続の確立処理を実施してよい。
【０１６３】
（Ｘ２  ＧＷを介したＸ２接続の確立処理）
以下、ＬＭｅＮＢとＨｅＮＢとのＸ２  ＧＷを介したＸ２接続の確立処理について、図１９〜図２３を参照して説明する。
【０１６４】
ＨｅＮＢ  ＧＷは、Ｘ２マッピングテーブル１９へのエントリ登録後、登録されたＬＭｅＮＢと既にＸ２接続を確立しているか否かを確認してよい（図２１の処理Ｐ３１及び図２２の処理Ｐ４１）。
【０１６５】
ＬＭｅＮＢとＸ２接続が未確立であれば（図２１の処理Ｐ３１及び図２２の処理Ｐ４１でＮＯ）、ＨｅＮＢ  ＧＷは、ＬＭｅＮＢからＸ２接続の確立を要求するＸ２メッセージ「X2AP: X2 SETUP REQUEST」の受信待ち状態となる（図２１の処理Ｐ３２）。当該Ｘ２メッセージは、便宜的に、「Ｘ２接続確立要求メッセージ」と称してよい。
【０１６６】
ＬＭｅＮＢから「X2AP: X2 SETUP REQUEST」を受信すると、ＨｅＮＢ  ＧＷは、ＬＭｅＮＢに、その応答メッセージである「X2AP:X2 SETUP RESPONSE」を返信して、ＬＭｅＮＢとのＸ２接続を確立してよい。当該処理は、例示的に、図１９の手順１及び２、並びに、図２２の処理Ｐ４２及びＰ４３に相当する。
【０１６７】
ＨｅＮＢ  ＧＷは、「X2AP:X2 SETUP RESPONSE」をＬＭｅＮＢ宛に送信することで、ＬＭｅＮＢに、Ｘ２接続の確立を希望するＨｅＮＢとのＸ２接続が正常に確立することを認識させることができる。
【０１６８】
別言すると、ＬＭｅＮＢは、図１０の手順５に例示したように、通常通り、Ｘ２接続の確立を希望するＨｅＮＢ宛に「X2AP: X2 SETUP REQUEST」を送信すれば、ＨｅＮＢとのＸ２接続が正常に確立することを認識できる。
【０１６９】
その後、ＨｅＮＢ  ＧＷは、ＬＭｅＮＢとのＸ２接続が確立したかを確認してよい（図２１の処理Ｐ３３及び図２２の処理Ｐ４４）。
【０１７０】
ＬＭｅＮＢとのＸ２接続が確立していれば（処理Ｐ３３及び処理Ｐ４４でＹＥＳ）、ＨｅＮＢ  ＧＷは、ＨｅＮＢとのＸ２  ＧＷを介したＸ２接続の確立処理を開始してよい（図１９の手順３）。これにより、ＨｅＮＢ  ＧＷは、ＬＭｅＮＢに対して追加的な処理を負担させずに、Ｘ２  ＧＷを介したＨｅＮＢとのＸ２接続の確立を開始できる。
【０１７１】
例えば、ＨｅＮＢ  ＧＷは、ＬＭｅＮＢから受信した「X2AP: X2 SETUP REQUEST」を転送メッセージ「X2AP: X2AP MESSAGE TRANSFER」にカプセル化してＸ２  ＧＷ宛に送信してよい。当該処理は、例示的に、図１９の手順３、図２１の処理Ｐ３４、及び、図２２の処理Ｐ４５に相当する。
【０１７２】
図２０に例示するように、当該転送メッセージ「X2AP: X2AP MESSAGE TRANSFER」に含まれる「IE: RNL Header」の「IE: Source eNB ID」には、「X2AP: X2 SETUP REQUEST」の送信元であるＬＭｅＮＢのｅＮＢ  ＩＤが設定されてよい。また、「IE: Target eNB ID」には、Ｘ２マッピングテーブル１９において当該ＬＭｅＮＢのｅＮＢ  ＩＤと関連付けられたＨｅＮＢのｅＮＢ  ＩＤが設定されてよい。
【０１７３】
Ｘ２  ＧＷは、ＨｅＮＢ  ＧＷから「X2AP: X2AP MESSAGE TRANSFER」を受信すると、「IE: Target eNB ID」に設定されているｅＮＢ  ＩＤによって識別されるＨｅＮＢ宛に、受信した「X2AP: X2AP MESSAGE TRANSFER」を転送してよい。
【０１７４】
ＨｅＮＢは、Ｘ２  ＧＷから「X2AP: X2 MESSAGE TRANSFER」を受信すると、「XAP: X2 SETUP REQUEST」に対する応答メッセージ「X2AP: X2 SETUP RESPONSE」を「X2AP: X2 MESSAGE TRANSFER」にカプセル化してＸ２  ＧＷ宛に返信する。
【０１７５】
以上のＸ２  ＧＷとＨｅＮＢとの間の「X2AP: X2 MESSAGE TRANSFER」の送受信処理は、例示的に、図２２の処理Ｐ４６及びＰ４７に相当し、これにより、Ｘ２  ＧＷとＨｅＮＢとの間のＸ２接続が確立する。
【０１７６】
Ｘ２  ＧＷは、ＨｅＮＢから「X2AP: X2 SETUP RESPONSE」を含む「X2AP: X2 MESSAGE TRANSFER」が受信されると、当該「X2AP: X2 MESSAGE TRANSFER」をＨｅＮＢ  ＧＷ宛に転送してよい（図２２の処理Ｐ４８）。
【０１７７】
ＨｅＮＢ  ＧＷが、Ｘ２  ＧＷから「X2AP: X2 SETUP RESPONSE」を含む「X2AP: X2 MESSAGE TRANSFER」を受信すると、ＨｅＮＢ  ＧＷとＸ２  ＧＷとの間のＸ２接続が確立する。これにより、ＨｅＮＢ  ＧＷとＨｅＮＢとの間にＸ２  ＧＷを介したＸ２接続が確立する（図２１の処理Ｐ３４）。したがって、ＬＭｅＮＢとＨｅＮＢとの間にＨｅＮＢ  ＧＷ及びＸ２  ＧＷを介したＸ２接続が確立する。
【０１７８】
ＨｅＮＢ  ＧＷは、ＬＭｅＮＢとＨｅＮＢとのＸ２接続が確立すると、Ｘ２マッピングテーブル１９において、Ｘ２接続の確立したＬＭｅＮＢ及びＨｅＮＢに対応するエントリのＸ２確立フラグを、確立済み（Ｙｅｓ）を示す情報に更新してよい。当該処理は、例示的に、図２１の処理Ｐ３５及び図２２の処理Ｐ４９に相当する。
【０１７９】
なお、Ｘ２マッピングテーブル１９に登録されたＬＭｅＮＢが、既に別の１又は複数のＨｅＮＢとＸ２接続を確立している場合が有り得る。
【０１８０】
別言すると、Ｘ２マッピングテーブル１９に登録されたＬＭｅＮＢと、ＨｅＮＢ  ＧＷが既にＸ２接続を確立していることがある。この場合、Ｘ２マッピングテーブル１９において、例えば図２３に示すように、同じｅＮＢ  ＩＤのＬＭｅＮＢについてＸ２確立フラグが「Ｙｅｓ」である別のエントリが登録済みである。
【０１８１】
Ｘ２確立フラグが「Ｙｅｓ」である別のエントリが登録済みであれば、ＨｅＮＢ  ＧＷは、ＬＭｅＮＢから「X2AP: X2 SETUP REQUEST」の受信を待たずに、上述したＨｅＮＢとのＸ２  ＧＷを介したＸ２接続の確立処理を開始してよい。
【０１８２】
当該処理は、例示的に、図１９の手順３、並びに、図２１の処理Ｐ３１及び図２２の処理Ｐ４１でＹＥＳと判定された場合の処理に相当する。
【０１８３】
これにより、ＨｅＮＢ  ＧＷは、ＬＭｅＮＢに対して追加的な処理を負担させずに、また、迅速に、ＬＭｅＮＢがＸ２接続を希望するＨｅＮＢとの間にＸ２  ＧＷを介したＸ２接続を確立できる。
【０１８４】
なお、Ｘ２接続の確立処理を開始したが、例えば或る設定時間を経過してもＸ２接続を確立できなかった場合（図２１の処理Ｐ３３及び図２２の処理Ｐ４４でＮＯ）、ＨｅＮＢ  ＧＷは、Ｘ２確立フラグを更新せずに処理を終えてよい。
【０１８５】
（ＬＭｅＮＢとＨｅＮＢとの間のＸ２接続におけるメッセージ転送処理）
次に、上述のごとくＬＭｅＮＢとＨｅＮＢとの間に確立したＸ２接続におけるメッセージ転送処理の一例について、図２４〜図２９を参照して説明する。
【０１８６】
ＨｅＮＢ  ＧＷは、Ｘ２マッピングテーブル１９のエントリに基づいて、ＬＭｅＮＢとＨｅＮＢとの間に確立したＸ２接続にて送受信されるＸ２メッセージを中継処理してよい。
【０１８７】
中継処理には、例示的に、Ｘ２メッセージをカプセル化する処理や、カプセル化されたＸ２メッセージを解除（「デカプセル化」と称してもよい。）する処理が含まれてよい。
【０１８８】
Ｘ２メッセージのカプセル化やカプセル化されたＸ２メッセージのデカプセル化は、Ｘ２メッセージのフォーマット変換の一例であると捉えてもよい。当該フォーマット変換は、新旧Ｘ２インタフェース間の変換と捉えてもよい。
【０１８９】
例えば、ＬＭｅＮＢがＸ２接続に用いるＸ２インタフェースが「旧Ｘ２インタフェース」に相当し、3GPP Rel. 12以降のバージョンのｅＮＢがＸ２接続に用いるＸ２インタフェースが「新Ｘ２インタフェース」に相当すると捉えてよい。
【０１９０】
ＨｅＮＢ  ＧＷにおける、新旧Ｘ２インタフェースの相互変換によって、ＬＭｅＮＢの旧Ｘ２インタフェースと、ＨｅＮＢが新Ｘ２インタフェースにて接続するＸ２  ＧＷの新Ｘ２インタフェースとを、正常に接続することが可能になる。
【０１９１】
図２４及び図２８に、ＨｅＮＢからＬＭｅＮＢへのＸ２メッセージの転送処理の一例を示し、図２５及び図２９に、ＬＭｅＮＢからＨｅＮＢへのＸ２メッセージの転送処理の一例を示す。また、図２６に、図２４及び図２８に対応するＨｅＮＢ  ＧＷでの動作例を示し、図２７に、図２５及び図２９に対応するＨｅＮＢ  ＧＷでの動作例を示す。
【０１９２】
（ＨｅＮＢからＬＭｅＮＢへのＸ２メッセージの転送処理）
【０１９３】
図２４及び図２８に例示するように、ＨｅＮＢがＬＭｅＮＢ宛に、Ｘ２メッセージがカプセル化された「X2AP: X2AP MESSAGE TRANSFER」を、送信したと仮定する（図２４の手順１及び図２８の処理Ｐ７１）。
【０１９４】
当該「X2AP: X2AP MESSAGE TRANSFER」は、Ｘ２  ＧＷで受信され、Ｘ２  ＧＷは、受信した「X2AP: X2AP MESSAGE TRANSFER」をＨｅＮＢ  ＧＷへ転送する（図２４の手順２及び図２８の処理Ｐ７２）。
【０１９５】
ＨｅＮＢ  ＧＷへ転送される「X2AP: X2AP MESSAGE TRANSFER」は、図２４に例示するように、カプセル化されているため、「IE: Target eNB ID」及び「IE: Source eNB ID」を含む「IE: RNL Header」が設定されている。例えば、「IE: Target eNB ID」には、ＬＭｅＮＢのｅＮＢ  ＩＤが設定され、「IE: Source eNB ID」には、ＨｅＮＢのｅＮＢ  ＩＤが設定されている。
【０１９６】
カプセル化されたＸ２メッセージは、ＨｅＮＢ  ＧＷにて受信される（図２６の処理Ｐ５１）。ＨｅＮＢ  ＧＷは、カプセル化されたＸ２メッセージの「IE: Target eNB ID」及び「IE: Source eNB ID」に設定されたｅＮＢ  ＩＤの組み合わせが、Ｘ２マッピングテーブル１９に登録されているか否かを確認してよい（図２６の処理Ｐ５２及び図２８の処理Ｐ７３）。
【０１９７】
図２４及び図２８の例では、ＬＭｅＮＢ及びＨｅＮＢのｅＮＢ  ＩＤの組み合わせがＸ２マッピングテーブル１９に登録済みであるから、図２６の処理Ｐ５２においてＹＥＳと判定される。
【０１９８】
したがって、ＨｅＮＢ  ＧＷは、「X2AP: X2AP MESSAGE TRANSFER」にカプセル化されたＸ２メッセージをデカプセル化して、Ｘ２メッセージを「IE: Target eNB ID」で指定されたＬＭｅＮＢ宛に転送してよい。当該処理は、例示的に、図２４の手順３及び手順４、図２６の処理Ｐ５３、並びに、図２８の処理Ｐ７４及びＰ７５に相当する。
【０１９９】
なお、Ｘ２  ＧＷから受信したメッセージの「IE: Target eNB ID」及び「IE: Source eNB ID」に設定されたｅＮＢ  ＩＤの組み合わせが、Ｘ２マッピングテーブル１９に登録されていなければ、ＨｅＮＢ  ＧＷは、受信したメッセージを破棄してよい。当該処理は、例示的に、図２６の処理Ｐ５２でＮＯと判定されて処理Ｐ５４が実施されることに相当する。
【０２００】
（ＬＭｅＮＢからＨｅＮＢへのＸ２メッセージの転送処理）
一方、ＬＭｅＮＢが、ＨｅＮＢ宛に、「X2AP: X2AP MESSAGE TRANSFER」にカプセル化されていないＸ２メッセージを送信したと仮定する（図２５の手順１及び図２９の処理Ｐ８１）。
【０２０１】
当該Ｘ２メッセージは、ＨｅＮＢ  ＧＷにて受信される（図２７の処理Ｐ６１）。ＨｅＮＢ  ＧＷは、受信したＸ２メッセージの送信元であるＬＭｅＮＢのｅＮＢ  ＩＤが、Ｘ２マッピングテーブル１９に登録されているか否かを確認してよい（図２７の処理Ｐ６２）。
【０２０２】
登録されていれば（処理Ｐ６２でＹＥＳ）、ＨｅＮＢ  ＧＷは、受信したＸ２メッセージが宛先を特定（又は指定）したメッセージであるか否かを更に確認してよい（図２７の処理Ｐ６３及び図２９の処理Ｐ８２）。
【０２０３】
ここで、ＬＭｅＮＢは、通信相手であるＨｅＮＢがＸ２  ＧＷとＸ２接続していることを認識していないため、ＳＣＴＰ接続とＸ２接続とが１対１に対応していない（例えば図６参照）可能性があることを認識していない。
【０２０４】
別言すると、ＬＭｅＮＢは、ＨｅＮＢとの間に確立したＸ２接続にＸ２  ＧＷが介在していることを認識していないため、Ｘ２接続とＳＣＴＰ接続とが１対１の対応関係にあると認識している。
【０２０５】
そのため、ＬＭｅＮＢは、宛先を指定しないＸ２メッセージを送信したとしても、当該Ｘ２メッセージが正しくＨｅＮＢに到達すると認識している。よって、ＬＭｅＮＢからは、宛先を指定したＸ２メッセージが送信されることもあるし、宛先を指定しないＸ２メッセージが送信されることもある。
【０２０６】
宛先を指定したＸ２メッセージとは、例えば、Ｘ２メッセージの宛先情報に特定のｅＮＢのｅＮＢ  ＩＤや当該ｅＮＢが形成する特定のセルやセルを分割したセクタを識別するＩＤ等が設定されたメッセージであってよい。当該Ｘ２メッセージには、ハンドオーバに関連する制御情報や、セルやセクタにおける送信電力制御のための制御情報が含まれてよい。
【０２０７】
ＬＭｅＮＢから受信したＸ２メッセージが宛先を指定したメッセージであれば（図２７の処理Ｐ６３及び図２９の処理Ｐ８２でＹＥＳ）、ＨｅＮＢ  ＧＷは、受信したＸ２メッセージのＩＥから宛先を特定してよい（図２７の処理Ｐ６４）。
【０２０８】
そして、ＨｅＮＢ  ＧＷは、特定した宛先に対応するｅＮＢ  ＩＤが、Ｘ２マッピングテーブル１９において、受信したＸ２メッセージの送信元ＬＭｅＮＢのｅＮＢ  ＩＤと関連付けて登録されているか否かを確認してよい（図２７の処理Ｐ６５）。
【０２０９】
登録されていれば（処理Ｐ６５でＹＥＳ）、ＨｅＮＢ  ＧＷは、ＬＭｅＮＢから受信したＸ２メッセージを「X2AP: X2AP MESSAGE TRANSFER」にカプセル化してＸ２  ＧＷ宛に送信してよい（図２７の処理Ｐ６６）。
【０２１０】
「IE: RNL Header」の「IE: Target eNB ID」には、受信したＸ２メッセージのＩＥから特定した宛先が設定され、「IE: Source eNB ID」には、Ｘ２メッセージの送信元ＬＭｅＮＢのｅＮＢ  ＩＤが設定されてよい。
【０２１１】
上述した図２７の処理Ｐ６４〜Ｐ６６は、別言すると、受信したＸ２メッセージの転送先を、受信したＸ２メッセージに含まれるＩＥを基に判定、決定し、決定した１つの転送先に、受信したＸ２メッセージをカプセル化してＸ２  ＧＷへ送信する処理である。当該処理は、例示的に、図２５の手順２（２ａ）及び手順３、並びに、図２９の処理Ｐ８４及びＰ８５に相当する。
【０２１２】
Ｘ２  ＧＷは、ＨｅＮＢ  ＧＷから「X2AP: X2AP MESSAGE TRANSFER」にカプセル化されたＸ２メッセージを受信すると、「IE: RNL Header」の「IE: Target eNB ID」に示されるＨｅＮＢ宛に、「X2AP: X2AP MESSAGE TRANSFER」を転送してよい。当該処理は、例示的に、図２５の手順４及び図２９の処理Ｐ８６に相当する。
【０２１３】
なお、図２７の処理Ｐ６２又は処理Ｐ６５でＮＯの場合、ＨｅＮＢ  ＧＷは、ＬＭｅＮＢから受信したＸ２メッセージを破棄してよい（図２７の処理Ｐ６８）。
【０２１４】
一方、図２７の処理Ｐ６３及び図２９の処理Ｐ８２において、ＬＭｅＮＢから受信したＸ２メッセージが宛先を指定しないメッセージであった場合（ＮＯの場合）、ＨｅＮＢ  ＧＷは、Ｘ２マッピングテーブル１９を基にＸ２メッセージの転送先を判定、決定してよい。
【０２１５】
例えば、ＨｅＮＢ  ＧＷは、Ｘ２マッピングテーブル１９において、受信したＸ２メッセージの送信元ＬＭｅＮＢのｅＮＢ  ＩＤと関連付けられている全てのｅＮＢ  ＩＤに対応するｅＮＢを、受信したＸ２メッセージの転送先に判定、決定してよい。
【０２１６】
この場合、ＨｅＮＢ  ＧＷは、受信したＸ２メッセージをカプセル化した「X2AP: X2AP MESSAGE TRANSFER」を、決定した転送先ｅＮＢの数だけ生成してＸ２  ＧＷへ送信してよい。
【０２１７】
転送先毎の「X2AP: X2AP MESSAGE TRANSFER」の「IE: RNL Header」には、「IE: Target eNB ID」に、対応する転送先ｅＮＢのＩＤが設定されてよい。当該「IE: RNL Header」の「IE: Source eNB ID」には、Ｘ２メッセージの送信元ＬＭｅＮＢのｅＮＢ  ＩＤが設定されてよい。
【０２１８】
受信したＸ２メッセージが宛先を指定しないメッセージであった場合に実施される上述の処理は、例示的に、図２５の手順２（２ｂ）及び手順３、図２７の処理Ｐ６７、並びに、図２９の処理Ｐ８７〜Ｐ８９に相当する。
【０２１９】
Ｘ２  ＧＷは、ＨｅＮＢ  ＧＷから転送先毎に生成された「X2AP: X2AP MESSAGE TRANSFER」を受信すると、それぞれの「IE: Target eNB ID」に設定されたｅＮＢ  ＩＤが示す宛先ｅＮＢへ、「X2AP: X2AP MESSAGE TRANSFER」を転送する。当該処理は、例示的に、図２５の手順４及び図２９の処理Ｐ９０に相当する。
【０２２０】
以上のように、上述した実施形態によれば、Ｘ２  ＧＷとのＸ２接続をサポートするｅＮＢとサポートしないｅＮＢとの新旧ｅＮＢがネットワーク１に混在しても、ＨｅＮＢ  ＧＷを介して、全てのｅＮＢがＸ２接続を確立してＸ２通信を実施することができる。
【０２２１】
別言すると、ネットワーク１に、ＨｅＮＢ  ＧＷを設置することで、旧ｅＮＢと新ｅＮＢとの間に、Ｘ２  ＧＷを介したＸ２接続を確立できるので、Ｘ２  ＧＷの有効利用を図ることができる。
【０２２２】
（ＳＣＴＰ異常発生時の動作例）
次に、上述したようにＬＭｅＮＢとＨｅＮＢとの間にＸ２  ＧＷを介したＸ２接続が確立した後、例えば、ＬＭｅＮＢとＨｅＮＢとの間、及び、Ｘ２  ＧＷとＨｅＮＢとの間の少なくとも一方のＸ２接続に異常が発生した場合の動作例について説明する。
【０２２３】
図３０及び図３５に、ＬＭｅＮＢとＨｅＮＢとの間のＳＣＴＰ接続に異常が発生してＳＣＴＰ接続が切断された場合の動作例を示す。なお、ＳＣＴＰ接続が切断すると、ＳＣＴＰの上位レイヤに相当するＸ２接続も切断する。
【０２２４】
また、図３１、図３２及び図３６に、ＨｅＮＢとＸ２  ＧＷとの間のＳＣＴＰ接続に異常が発生してＳＣＴＰ接続が切断された場合の動作例を示す。更に、図３３に、図３０及び図３５に対応するＨｅＮＢ  ＧＷでの動作例を示し、図３４に、図３１、図３２及び図３６に対応するＨｅＮＢ  ＧＷでの動作例を示す。
【０２２５】
（ＬＭｅＮＢとＨｅＮＢとの間のＳＣＴＰ接続が切断した場合）
図３０及び図３５に例示するように、ＬＭｅＮＢとＨｅＮＢとの間のＳＣＴＰ接続に異常が発生してＳＣＴＰ接続が切断されると、当該切断がＨｅＮＢ  ＧＷにおいて検出される。当該切断検出は、例示的に、図３０の手順１、図３３の処理Ｐ１０１、及び、図３５の処理Ｐ１２１に相当する。
【０２２６】
ＬＭｅＮＢとの間のＸ２接続のＳＣＴＰ接続の切断検出に応じて、ＨｅＮＢ  ＧＷは、Ｘ２マッピングテーブル１９に、当該ＬＭｅＮＢのｅＮＢ  ＩＤと関連付けて登録されたＨｅＮＢのｅＮＢ  ＩＤが存在するか否かを確認してよい。当該処理は、例示的に、図３３の処理Ｐ１０２及び図３５の処理Ｐ１２２に対応する。
【０２２７】
Ｘ２マッピングテーブル１９に、該当ＨｅＮＢのｅＮＢ  ＩＤが存在すれば（図３３の処理Ｐ１０２でＹＥＳ）、ＨｅＮＢ  ＧＷは、Ｘ２接続の解放を要求する「X2AP: X2 RELEASE」を、該当ＨｅＮＢの数だけ生成してＸ２  ＧＷ宛に送信してよい。
【０２２８】
各「X2AP: X2 RELEASE」の「IE: Global eNB ID」には、Ｘ２マッピングテーブル１９に登録された、ＬＭｅＮＢのｅＮＢ  ＩＤが設定されてよい。「X2AP: X2 RELEASE」のそれぞれは、「X2AP: X2 MESSAGE TRANSFER」にカプセル化されてＸ２  ＧＷ宛に送信されてよい。
【０２２９】
以上の「X2AP: X2 RELEASE」の生成、カプセル化、Ｘ２  ＧＷへの送信に係る処理は、例示的に、図３０の手順２及び３、図３３の処理Ｐ１０３、図３５の処理Ｐ１２３に対応する。
【０２３０】
なお、ＨｅＮＢ  ＧＷからＸ２  ＧＷへ送信された各「X2AP: X2 MESSAGE TRANSFER」は、Ｘ２  ＧＷにて受信され、Ｘ２  ＧＷから対応するＨｅＮＢ宛にそれぞれ転送される（図３０の手順５及び図３５の処理Ｐ１２４）。これにより、ＨｅＮＢ  ＧＷにおいて、維持、管理しなくてよくなったＸ２接続を確実に解放でき、Ｘ２通信のためのリソースの有効利用を図ることができる。
【０２３１】
「X2AP: X2 MESSAGE TRANSFER」の送信に応じて（あるいは併せて）、ＨｅＮＢ  ＧＷは、Ｘ２マッピングテーブル１９から、同じＬＭｅＮＢに関連付けられているエントリの全てを削除してよい。
【０２３２】
これにより、Ｘ２マッピングテーブル１９のために用意しておく記憶容量を削減できる。当該削除処理は、例示的に、図３０の手順４、図３３の処理Ｐ１０４、図３５の処理Ｐ１２５に対応する。
【０２３３】
（Ｘ２  ＧＷとＨｅＮＢとの間のＳＣＴＰ接続が切断した場合）
図３１及び図３２に例示するように、Ｘ２  ＧＷとＨｅＮＢとの間のＳＣＴＰ接続が切断したと仮定する。
【０２３４】
Ｘ２  ＧＷとＨｅＮＢとの間のＳＣＴＰ接続の切断は、異常切断の場合の他に、ＨｅＮＢがＸ２  ＧＷとのＸ２接続の解放を要求するＸ２メッセージ「X2AP: X2 RELEASE」をＸ２  ＧＷ宛に送信した場合にも生じる。これらは、例示的に、図３１及び図３２の手順１、図３６の処理Ｐ１３１に対応する。
【０２３５】
Ｘ２  ＧＷは、ＳＣＴＰ接続の切断検出、又は、ＨｅＮＢからの「X2AP: X2 RELEASE」の受信に応じて、該当ＨｅＮＢのｅＮＢ  ＩＤを「Source eNB ID」に設定した「X2AP: X2 RELEASE」をＨｅＮＢ  ＧＷ宛に送信してよい。当該「X2AP: X2 RELEASE」は、「X2AP: X2 MESSAGE TRANSFER」にカプセル化されてよい。当該処理は、例示的に、図３１及び図３２の手順３、並びに、図３６の処理Ｐ１３２に相当する。
【０２３６】
ＨｅＮＢ  ＧＷは、Ｘ２  ＧＷから、「X2AP: X2 RELEASE」がカプセル化された「X2AP: X2 MESSAGE TRANSFER」を受信する（図３４の処理Ｐ１１１）。
【０２３７】
ＨｅＮＢ  ＧＷは、「X2AP: X2 MESSAGE TRANSFER」の「IE: RNL Header」における「IE: Target eNB ID」に、Ｘ２マッピングテーブル１９に登録されたＬＭｅＮＢのｅＮＢ  ＩＤが設定されているか否かを確認してよい。
【０２３８】
また、ＨｅＮＢ  ＧＷは、受信した「X2AP: X2 MESSAGE TRANSFER」にカプセル化されている「X2AP: X2 RELEASE」の「IE: Target eNB ID」に、Ｘ２マッピングテーブル１９に登録されたＨｅＮＢのｅＮＢ  ＩＤが設定されているか否かを確認してよい。
【０２３９】
別言すると、ＨｅＮＢ  ＧＷは、受信した「X2AP: X2 MESSAGE TRANSFER」の宛先と、カプセル化された「X2AP: X2 RELEASE」の送信元と、の組が、Ｘ２マッピングテーブル１９に登録されているか否かを確認してよい。当該確認処理は、例示的に、図３４の処理Ｐ１１２、及び、図３６の処理Ｐ１３３に相当する。
【０２４０】
確認の結果、ＬＭｅＮＢ宛の「X2AP: X2 MESSAGE TRANSFER」にカプセル化された「X2AP: X2 RELEASE」の送信元が、Ｘ２マッピングテーブル１９に登録されたＨｅＮＢであれば、ＨｅＮＢ  ＧＷは、該当エントリを削除してよい。したがって、Ｘ２マッピングテーブル１９のために用意しておく記憶容量を削減できる。
【０２４１】
当該エントリ削除は、例示的に、図３１及び図３２の手順４、図３４の処理Ｐ１１２でＹＥＳと判定された場合の処理Ｐ１１３、並びに、図３６の処理Ｐ１３４に相当する。
【０２４２】
エントリ削除に応じて、ＨｅＮＢ  ＧＷは、Ｘ２エントリテーブル１９において、ＬＭｅＮＢのｅＮＢ  ＩＤに関連付けられたＨｅＮＢのｅＮＢ  ＩＤの数が「０」になったＬＭｅＮＢのエントリが存在するか否かを確認してよい。当該確認処理は、例示的に、図３４の処理Ｐ１１４、及び、図３６の処理Ｐ１３５に対応する。
【０２４３】
Ｘ２エントリテーブル１９において、ＬＭｅＮＢのｅＮＢ  ＩＤに関連付けられたＨｅＮＢのｅＮＢ  ＩＤの数が「０」になったＬＭｅＮＢのエントリが存在すれば、ＨｅＮＢ  ＧＷは、該当するＬＭｅＮＢとの間のＳＣＴＰ接続を切断してよい。
【０２４４】
当該切断処理は、例示的に、図３２の手順５、図３４の処理Ｐ１１５、図３６の処理Ｐ１３６に対応する。これにより、ＨｅＮＢ  ＧＷにおいて、維持、管理しなくてよくなった、ＬＭｅＮＢとのＸ２接続を確実に切断することができる。したがって、ＨｅＮＢ  ＧＷとＬＭｅＮＢとの間のＸ２通信のためのリソースの有効利用を図ることができる。
【０２４５】
（動作例のまとめ）
上述した実施形態における無線通信システム１の動作例を、便宜的に、まとめて列挙すると、以下のとおりである。
【０２４６】
・ＨｅＮＢ  ＧＷは、基地局及びＸ２  ＧＷとの間でメッセージを送受信することが可能である。
【０２４７】
・基地局間で送受信される、Ｘ２接続を確立するためのＳ１メッセージを、ＨｅＮＢ  ＧＷが読み取り、特定の条件を満たす場合、当該Ｓ１メッセージを宛先基地局へ転送せずに、ＨｅＮＢ  ＧＷにおいて終端してよい。「特定の条件」の一例は、Ｓ１メッセージの送信元が、Ｘ２  ＧＷとのＸ２接続をサポートしない基地局であることである。
【０２４８】
・ＨｅＮＢ  ＧＷは、Ｓ１メッセージの送信元である第１の基地局宛に、ＨｅＮＢ  ＧＷのアドレス情報を通知してよい。ＨｅＮＢ  ＧＷのアドレス情報は、第１の基地局が、Ｘ２  ＧＷに接続可能な第２の基地局と、Ｘ２  ＧＷを介したＸ２接続を確立するために用いられてよい。
・ＨｅＮＢ  ＧＷは、内容を確認したＳ１メッセージから、Ｘ２接続の確立が希望されている基地局の組み合わせを記憶してよい。
【０２４９】
・ＨｅＮＢ  ＧＷは、当該ＨｅＮＢ  ＧＷのアドレス情報を通知した第１の基地局から、Ｘ２接続の確立要求を受信すると、当該要求を受け入れて、第１の基地局との間にＸ２接続を確立してよい。
【０２５０】
・ＨｅＮＢ  ＧＷは、第１の基地局との間のＸ２接続が確立したことに応じて、記憶しているＸ２接続の確立を希望している基地局の組み合わせを参照し、該当基地局間にＸ２接続を確立するためのメッセージをＸ２  ＧＷ宛に送信して、Ｘ２接続を確立してよい。
【０２５１】
・ＨｅＮＢ  ＧＷは、既に第１の基地局との間のＸ２接続が既に確立している場合、第１の基地局からのＸ２接続の確立要求の受信を待たずに、Ｘ２  ＧＷを介した第２の基地局とのＸ２接続を確立する処理を開始してよい。
【０２５２】
・ＨｅＮＢ  ＧＷは、Ｘ２  ＧＷを介さずにＨｅＮＢ  ＧＷとＸ２接続が確立した第１の基地局と、Ｘ２  ＧＷを介してＨｅＮＢ  ＧＷとＸ２接続が確立した第２の基地局と、の組み合わせを記憶してよい。
【０２５３】
・ＨｅＮＢ  ＧＷは、第２の基地局からＸ２  ＧＷ経由でメッセージを受信した場合、受信したメッセージのカプセル化を解除して、第１の基地局宛に送信してよい。
【０２５４】
・ＨｅＮＢ  ＧＷは、第１の基地局から、Ｘ２  ＧＷを介さないＸ２接続にて、宛先を指定したメッセージを受信した場合、受信したメッセージの情報要素から宛先を特定してよい。そして、ＨｅＮＢ  ＧＷは、特定した宛先に対応する基地局ＩＤと、第１の基地局のＩＤと、を付与して受信メッセージをカプセル化し、カプセル化したメッセージをＸ２  ＧＷ宛に送信してよい。
【０２５５】
・ＨｅＮＢ  ＧＷは、第１の基地局から、Ｘ２  ＧＷを介さないＸ２接続にて、宛先を指定しないメッセージを受信した場合、記憶しているＸ２接続確立済みの基地局の組み合わせから宛先を選定してよい。そして、ＨｅＮＢ  ＧＷは、選定した宛先毎に、宛先に対応する基地局ＩＤと、第１の基地局のＩＤと、を付与して受信メッセージをカプセル化して、カプセル化したメッセージをＸ２  ＧＷ宛に送信してよい。
【０２５６】
・ＨｅＮＢ  ＧＷは、Ｘ２接続が確立した第１の基地局との間のＸ２接続が切断されたことを検出すると、記憶していた該当基地局の組み合わせを削除してよい。
【０２５７】
・ＨｅＮＢ  ＧＷは、Ｘ２  ＧＷと第２の基地局との間のＸ２接続が切断されたことを示すメッセージをＸ２  ＧＷから受信した場合、記憶していた該当基地局の組み合わせを削除してよい。
【０２５８】
・該当基地局の組み合わせの削除に応じて、ＨｅＮＢ  ＧＷにおいて記憶している基地局の組み合わせが無くなった場合、ＨｅＮＢ  ＧＷは、第１のｅＮＢとの間のＸ２接続を切断してよい。
【０２５９】
なお、上述した実施形態では、基地局とコアノードとの間の接続である「基地局−コアノード間接続」の一例として、Ｓ１インタフェースによるＳ１接続を挙げたが、基地局とコアノードとの間の接続に相当する接続は、Ｓ１接続に限られなくてよい。
【０２６０】
別言すると、基地局とコアノードとの間の接続であれば、Ｓ１接続とは異なる接続であっても「基地局−コアノード間接続」に該当する。したがって、「基地局−コアノード間接続」において伝送されるメッセージも、Ｓ１メッセージに限られなくてよく、基地局とコアノードとの間の接続において伝送されるメッセージであれば、「基地局−コアノード間メッセージ」に該当する。
【０２６１】
同様に、「基地局間接続」は、Ｘ２インタフェースによるＸ２接続に限られなくてよく、基地局どうしの接続であれば「基地局間接続」に該当する。したがって、「基地局間接続」において伝送されるメッセージも、Ｘ２メッセージに限られなくてよく、基地局どうしの接続において伝送されるメッセージであれば、「基地局間メッセージ」に該当する。
【０２６２】
（ＨｅＮＢ  ＧＷの機能的な構成例）
図３７に、上述した実施形態の動作例を実現可能なＨｅＮＢ  ＧＷの機能的な構成例を例示する。図３７に示すように、ＨｅＮＢ  ＧＷは、例示的に、ＨｅＮＢ向けＳ１送受信部１１、ＭＭＥ向けＳ１送受信部１２、Ｘ２  ＧＷ向けＸ２送受信部１３、及び、ＬＭｅＮＢ向けＸ２送受信部１４を備えてよい。
【０２６３】
また、ＨｅＮＢ  ＧＷは、例示的に、Ｓ１メッセージ判定部１５、Ｘ２確立部１６、Ｘ２処理部１７、Ｘ２監視部１８、及び、Ｘ２マッピングテーブル１９を備えてよい。
【０２６４】
ＨｅＮＢ向けＳ１送受信部１１は、例示的に、ＨｅＮＢとＳ１メッセージの送受信を行なう。
【０２６５】
ＭＭＥ向けＳ１送受信部１２は、例示的に、ＭＭＥとＳ１メッセージの送受信を行なう。ＭＭＥ向けＳ１送受信部１２は、ＭＭＥからＳ１メッセージを受信する第１受信部の一例である。また、ＭＭＥ向けＳ１送受信部１２は、ＨｅＮＢ  ＧＷのＩＰアドレスを含む、ＬＭｅＮＢ宛のＳ１メッセージをＭＭＥへ送信する第１送信部の一例でもある。
【０２６６】
Ｘ２  ＧＷ向けＸ２送受信部１３は、例示的に、Ｘ２  ＧＷとＸ２メッセージの送受信を行なう。
【０２６７】
ＬＭｅＮＢ向けＸ２送受信部１４は、例示的に、ＬＭｅＮＢとＸ２メッセージの送受信を行なう。ＬＭｅＮＢ向けＸ２送受信部１４は、ＨｅＮＢ  ＧＷのＩＰアドレスを受信したＬＭｅＮＢから、ＨｅＮＢとのＸ２接続の確立要求を受信する第２受信部の一例である。また、ＬＭｅＮＢ向けＸ２送受信部１４は、当該確立要求に対する応答をＬＭｅＮＢ宛に送信する第２送信部の一例でもある。
【０２６８】
Ｓ１メッセージ判定部１５は、例示的に、Ｓ１メッセージの一例である「MME CONFIGURATION TRANSFER」の受信に応じて、送信元ｅＮＢとの間でＸ２接続を確立するか否かを判定する。
【０２６９】
当該判定の結果に応じて、Ｓ１メッセージ判定部１５は、Ｘ２マッピングテーブル１９を更新してよい。例示的に、図１６のフローチャートにて説明した動作例が、Ｓ１メッセージ判定部１５にて実施されてよい。
【０２７０】
例えば、Ｓ１メッセージ判定部１５は、受信したＳ１メッセージが、ＬＭｅＮＢを送信元とするアドレス要求メッセージであるか否かを判定してよい。
【０２７１】
ＬＭｅＮＢを送信元とするアドレス要求メッセージであるとの判定に応じて、Ｓ１メッセージ判定部１５は、受信したアドレス要求メッセージをＨｅＮＢへ転送せずに終端してよい。
【０２７２】
そして、Ｓ１メッセージ判定部１５は、ＨｅＮＢ  ＧＷのＩＰアドレスを含むアドレス応答メッセージを、ＭＭＥ向けＳ１送受信部１２を通じて、ＩＰアドレス要求元のＬＭｅＮＢ宛に送信してよい。
【０２７３】
Ｘ２確立部１６は、「基地局間接続確立部」の一例であり、例示的に、Ｘ２  ＧＷ及びＬＭｅＮＢとの間のＸ２接続を確立する処理を実施してよい。そのため、Ｘ２確立部１６は、例示的に、Ｘ２  ＧＷ向けＸ２確立部１６１と、ＬＭｅＮＢ向けＸ２確立部１６２と、を備えてよい。
【０２７４】
Ｘ２  ＧＷ向けＸ２確立部１６１は、例示的に、Ｘ２  ＧＷとの間のＸ２接続を確立する処理を実施する。
【０２７５】
ＬＭｅＮＢ向けＸ２確立部１６２は、例示的に、ＬＭｅＮＢとの間のＸ２接続を確立する処理を実施する。
【０２７６】
Ｘ２接続の確立に応じて、Ｘ２確立部１６は、Ｘ２マッピングテーブル１９を更新してよい。例示的に、図２１のフローチャートにて説明した動作例が、Ｘ２確立部１６にて実施されてよい。
【０２７７】
Ｘ２処理部１７は、「基地局間メッセージ処理部」の一例であり、例示的に、Ｘ２送受信部１３及び１４を通じて送受信されるＸ２メッセージを処理してよい。そのため、Ｘ２処理部１７は、例示的に、ＬＭｅＮＢ向けメッセージ処理部１７１と、Ｘ２  ＧＷ向けメッセージ処理部１７２と、を備えてよい。
【０２７８】
ＬＭｅＮＢ向けメッセージ処理部１７１は、例示的に、Ｘ２  ＧＷ向けＸ２送受信部１３で受信されたＸ２メッセージをデカプセル化する。デカプセル化されたＸ２メッセージは、例示的に、ＬＭｅＮＢ向けＸ２送受信部１４を通じて、ＬＭｅＮＢ宛に送信される。
【０２７９】
Ｘ２  ＧＷ向けメッセージ処理部１７２は、例示的に、ＬＭｅＮＢ向けＸ２送受信部１４で受信されたＸ２メッセージをカプセル化し、適切な「IE: Target eNB ID」を設定する。カプセル化されたＸ２メッセージは、例示的に、Ｘ２  ＧＷ向けＸ２送受信部１３を通じて、Ｘ２  ＧＷ宛に送信される。
【０２８０】
Ｘ２処理部１７において、例えば図２６及び図２７のフローチャートにて説明した動作例が実施されてよい。
【０２８１】
したがって、Ｘ２処理部１７は、Ｘ２マッピングテーブル１９のエントリに基づいて、ＬＭｅＮＢとＨｅＮＢとの間にＸ２  ＧＷを介して確立したＸ２接続を通じて送受信されるＸ２メッセージの転送処理を行なう処理部の一例である。
【０２８２】
Ｘ２監視部１８は、例示的に、Ｘ２接続の確立状態を監視し、Ｘ２マッピングテーブル１９において不要になったエントリを削除してよい。また、Ｘ２監視部１８は、不要なエントリの削除に応じて、確立を維持しなくてよいＸ２接続での通信を切断する処理を実施してよい。
【０２８３】
Ｘ２監視部１８において、図３３及び図３４のフローチャートにて説明した動作が実施されてよい。図３３のフローチャートに説明した動作を実施するＸ２監視部１８は、第１監視部の一例である。図３４のフローチャートに説明した動作を実施するＸ２監視部１８は、第２監視部の一例である。
【０２８４】
Ｘ２マッピングテーブル１９は、例示的に、既述のとおり、ＬＭｅＮＢのｅＮＢ  ＩＤと、ＨｅＮＢのｅＮＢと、を関連付けて、Ｘ２確立フラグと共に記憶してよい。
【０２８５】
（ＨｅＮＢ  ＧＷのハードウェア構成例）
図３８に、ＨｅＮＢ  ＧＷのハードウェア構成例を示す。図３８に示すＨｅＮＢ  ＧＷは、例示的に、プロセッサ３０１、ＲＡＭ（Random Access Memory）３０２、ＲＯＭ（Read Only Memory）３０３、ＨＤＤ（Hard Disc Drive）３０４、及び、ネットワークインタフェース（ＮＷ−ＩＦ）３０５を備えてよい。
【０２８６】
また、ＨｅＮＢ  ＧＷは、例示的に、入力インタフェース（ＩＦ）３０６、出力ＩＦ３０７、入出力ＩＦ３０８、及び、ドライブ装置３０９の全部又は一部をオプションとして備えてよい。
【０２８７】
プロセッサ３０１、ＲＡＭ３０２、ＲＯＭ３０３、ＨＤＤ３０４、各ＩＦ３０５〜３０８、及び、ドライブ装置３０９は、例示的に、通信バス３１０に接続されて、プロセッサ３０１を介して相互に通信が可能であってよい。
【０２８８】
プロセッサ３０１は、演算能力を備えたプロセッサ回路又はプロセッサデバイスの一例であり、ＣＰＵ（Central Processing Unit）や、ＭＰＵ（Micro Processing Unit）等の集積回路（Integrated Circuit, IC）、ＤＳＰ（Digital Signal Processor）等が用いられてよい。演算能力を備えたプロセッサ回路又はプロセッサデバイスは、「コンピュータ」と称してもよい。
【０２８９】
ＲＡＭ３０２及びＲＯＭ３０３は、いずれも、種々のデータやプログラムを記憶するメモリの一例である。「プログラム」は、「ソフトウェア」あるいは「アプリケーション」と称されてもよい。
【０２９０】
ＲＡＭ３０２は、ＣＰＵ３０１のワークメモリとして用いられてよい。例えば、ＲＯＭ３０３やＨＤＤ３０４に記憶されたデータやプログラムが、ＲＡＭ３０２に展開されて、プロセッサ３０１による演算に用いられてよい。
【０２９１】
ＨＤＤ３０４は、記憶装置の一例であり、種々のデータやプログラムを記憶する。記憶装置の他の一例としては、ソリッドステートドライブ（ＳＳＤ）等の半導体ドライブ装置や、フラッシュメモリ等の不揮発性メモリ等が挙げられる。したがって、ＨＤＤ３０４は、ＳＳＤやフラッシュメモリに代替されてもよい。
【０２９２】
ＨＤＤ３０４に記憶されるプログラムには、図３７に例示したＨｅＮＢ  ＧＷとしての各種機能の全部又は一部を実現可能なプログラム（便宜的に「ＨｅＮＢ  ＧＷプログラム」と称してよい。）が含まれてよい。なお、ＨｅＮＢ  ＧＷプログラムを成すプログラムコードの全部又は一部は、ＲＯＭ３０３に記憶されてもよいし、オペレーティングシステム（ＯＳ）の一部として記述されてもよい。
【０２９３】
ＨＤＤ３０４に記憶されるデータには、既述のＸ２マッピングテーブル１９が含まれてよい。
【０２９４】
プロセッサ３０１が、ＨＤＤ３０４に記憶されたＯＦＣプログラムを例えばＲＡＭ３０２に展開して実行することにより、ＨｅＮＢ  ＧＷとしての各種機能が具現される。なお、ＲＡＭ３０２、ＲＯＭ３０３及びＨＤＤ３０４は、便宜的に、ＨｅＮＢ  ＧＷの「記憶部３１１」と総称してよい。
【０２９５】
プログラムやデータは、コンピュータ読取可能な記録媒体８０に記録された形態で提供されてよい。記録媒体の一例としては、フレキシブルディスク、ＣＤ−ＲＯＭ，ＣＤ−Ｒ，ＣＤ−ＲＷ，ＭＯ，ＤＶＤ、ブルーレイディスク、ポータブルハードディスク等が上げられる。また、ＵＳＢ（Universal Serial Bus）メモリ等の半導体メモリ７０も記録媒体８０の一例である。
【０２９６】
半導体メモリ７０に記憶されたプログラムやデータは、例示的に、入出力ＩＦ３０８を通じてＣＰＵ３０１に読み出されてよい。また、記録媒体８０に記憶されたプログラムやデータは、例示的に、ドライブ装置３０９を通じてＣＰＵ３０１に読み出されてよい。
【０２９７】
なお、プログラムやデータは、サーバコンピュータ等から通信回線を介してＨｅＮＢ  ＧＷに提供（別言すると「ダウンロード」）されてもよい。例えば、ＮＷ−ＩＦ３０５を通じてプログラムやデータがＨｅＮＢ  ＧＷに提供されてよい。また、プログラムやデータは、入力装置５０から入力ＩＦ３０６を通じてＨｅＮＢ  ＧＷに提供されてもよい。
【０２９８】
ＮＷ−ＩＦ３０５は、ＨｅＮＢ、ＭＭＥ、Ｘ２  ＧＷ及びＬＭｅＮＢとのＳ１通信又はＸ２通信を可能にするインタフェースであり、ＨｅＮＢ  ＧＷにおいて１又は複数備えられてよい。
【０２９９】
１又は複数のＮＷ−ＩＦ３０５によって、図３７に例示したＨｅＮＢ向けＳ１送受信部１１、ＭＭＥ向けＳ１送受信部１２、Ｘ２  ＧＷ向けＸ２送受信部１３、及び、ＬＭｅＮＢ向けＸ２送受信部１４の一部又は全部が実現されてよい。
【０３００】
入力ＩＦ３０６には、例示的に、入力装置５０が接続されてよい。入力装置５０の一例は、キーボードや、マウス、操作ボタン、マイクロフォン等である。
【０３０１】
出力ＩＦ３０７には、例示的に、出力装置の一例としての表示装置６０が接続されてよい。表示装置６０には、液晶ディスプレイ等が適用されてよい。タッチパネル式の液晶ディスプレイは、入力装置５０にも該当すると捉えてよい。なお、出力ＩＦ３０７には、出力装置の他の一例として、プリンタやスピーカ等が接続されてもよい。
【０３０２】
入力装置５０は、ＨｅＮＢ  ＧＷの管理者等による、ＨｅＮＢ  ＧＷに対する設定の登録や変更、ＨｅＮＢ  ＧＷの各種操作やデータの入力等の作業に用いられてよい。出力装置の一例である表示装置６０は、ＨｅＮＢ  ＧＷの管理者等による設定の確認や、管理者等に対する各種通知等の出力に用いられてよい。
【０３０３】
なお、図３８に例示するＨｅＮＢ  ＧＷのハードウェア構成例は、あくまでも例示であり、ＨｅＮＢ  ＧＷにおいてハードウェアの増減が適宜に行なわれてよい。例えば、任意のハードウェアブロックの追加や削除、分割、任意の組み合わせでの統合、通信バスの追加又は削除等が、ＨｅＮＢ  ＧＷにおいて、適宜に行なわれてよい。
【符号の説明】
【０３０４】
１  無線通信システム
１１  ＨｅＮＢ向けＳ１送受信部
１２  ＭＭＥ向けＳ１送受信部
１３  Ｘ２  ＧＷ向けＸ２送受信部
１４  ＬＭｅＮＢ向けＸ２送受信部
１５  Ｓ１メッセージ判定部
１６  Ｘ２確立部
１６１  Ｘ２  ＧＷ向けＸ２確立部
１６２  ＬＭｅＮＢ向けＸ２確立部
１７  Ｘ２処理部
１７１  ＬＭｅＮＢ向けメッセージ処理部
１７２  Ｘ２  ＧＷ向けメッセージ処理部
１８  Ｘ２監視部
１９  Ｘ２マッピングテーブル
５０  入力装置
６０  表示装置
７０  半導体メモリ
８０  記録媒体
３０１  プロセッサ
３０２  ＲＡＭ
３０３  ＲＯＭ
３０４  ＨＤＤ
３０５  ネットワークインタフェース（ＮＷ−ＩＦ）
３０６  入力インタフェース（ＩＦ）
３０７  出力ＩＦ
３０８  入出力ＩＦ
３０９  ドライブ装置
３１１  記憶部
ＭＣ  マクロセル
ＳＣ  スモールセル
【図１】
2017072905.tif 000003
【図２】
2017072905.tif 000004
【図３】
2017072905.tif 000005
【図４】
2017072905.tif 000006
【図５】
2017072905.tif 000007
【図６】
2017072905.tif 000008
【図７】
2017072905.tif 000009
【図８】
2017072905.tif 000010
【図９】
2017072905.tif 000011
【図１０】
2017072905.tif 000012
【図１１】
2017072905.tif 000013
【図１２】
2017072905.tif 000014
【図１３】
2017072905.tif 000015
【図１４】
2017072905.tif 000016
【図１５】
2017072905.tif 000017
【図１６】
2017072905.tif 000018
【図１７】
2017072905.tif 000019
【図１８】
2017072905.tif 000020
【図１９】
2017072905.tif 000021
【図２０】
2017072905.tif 000022
【図２１】
2017072905.tif 000023
【図２２】
2017072905.tif 000024
【図２３】
2017072905.tif 000025
【図２４】
2017072905.tif 000026
【図２５】
2017072905.tif 000027
【図２６】
2017072905.tif 000028
【図２７】
2017072905.tif 000029
【図２８】
2017072905.tif 000030
【図２９】
2017072905.tif 000031
【図３０】
2017072905.tif 000032
【図３１】
2017072905.tif 000033
【図３２】
2017072905.tif 000034
【図３３】
2017072905.tif 000035
【図３４】
2017072905.tif 000036
【図３５】
2017072905.tif 000037
【図３６】
2017072905.tif 000038
【図３７】
2017072905.tif 000039
【図３８】
2017072905.tif 000040
【国際調査報告】
2017072905.tif 000041
2017072905.tif 000042
2017072905.tif 000043